(57)【要約】  実施形態は、無線アクセスネットワークのセル内のアップリンク（ＵＬ）共有チャネル上で情報を送信するための、ユーザ装置（ＵＥ）によって実行される方法を含む。そのような実施形態は、セルにサービスを提供するネットワークノードから、ＵＬ共有チャネル上で情報を送信するためのリソースの設定を受信することを含む。設定は、ＵＬ共有チャネル上での送信が許可される特定の複数のタイムスロットを示すことができ、複数の連続するタイムスロットを示す周期パラメータと、ＵＬ共有チャネル上での送信が許可される複数の中の特定の複数のタイムスロットを示す許可パラメータとを含むことができる。許可パラメータは、様々な方法で伝達することができる。そのような実施形態はまた、特定の複数のタイムスロットのうちの少なくとも１つの間に、ＵＬ共有チャネル上で情報を送信することを含む。実施形態はまた、ネットワークノードによって実行される相補的な方法、ならびにそのような方法を実行するように構成されたＵＥおよびネットワークノードを含む。
2021533629.tif 000002
【特許請求の範囲】
【請求項１】
無線アクセスネットワーク（ＲＡＮ）のセル内でアップリンク（ＵＬ）共有チャネル上で情報を送信する方法であって、
前記セルにサービスを提供するネットワークノードから、前記ＵＬ共有チャネル上で情報を送信するためのリソースの設定を受信すること（１０１０）であって、前記設定は、前記ＵＬ共有チャネル上での送信が許可される特定の複数のタイムスロットを示し、
複数の連続するタイムスロットを示す周期パラメータと、
前記複数の連続するタイムスロット内の、前記ＵＬ共有チャネル上での送信が許可されるある数のタイムスロットを示す許可パラメータを含む、ことと、
前記受信された設定によって示される前記特定の複数のタイムスロットのうちの少なくとも１つの間で、前記ＵＬ共有チャネル上で情報を送信すること（１０２０）を含む、方法。
【請求項２】
請求項１に記載の方法であって、前記許可パラメータは、前記複数の連続するタイムスロット内のある数の連続するタイムスロットを示す、方法。 
【請求項３】
請求項２に記載の方法であって、
前記設定はさらに、前記周期パラメータによって示される前記複数の連続するタイムスロット内の開始タイムスロットを識別し、
前記特定の複数のタイムスロットは、前記開始タイムスロットで始まる前記数の連続するタイムスロットを含む、方法。
【請求項４】
請求項１に記載の方法であって、
前記許可パラメータは、第１の複数のビットを含む第１のビットマップを含み、
前記第１のビットマップにおける各ビットは、前記ＵＬ共有チャネル上の送信が前記連続するタイムスロットの特定の１つの間に許可されるかを示す、方法。
【請求項５】
請求項１から４のいずれか１項に記載の方法であって、
各タイムスロットは、複数のシンボルを含み、
前記設定はさらに、前記複数のシンボルのうちの、特定の複数のシンボルを識別し、該特定の複数のシンボルの間、前記ＵＬ共有チャネル上での送信は、前記設定によって示される前記特定の複数のタイムスロット内で許可される、方法。
【請求項６】
請求項５に記載の方法であって、 
前記特定の複数のシンボルの識別は、開始シンボルとある数の連続するシンボルを含み、
前記開始シンボルと前記数の連続するシンボルは、前記設定によって示される前記特定の複数のタイムスロットのそれぞれに適用可能である、方法。
【請求項７】
請求項５に記載の方法であって、
前記特定の複数のタイムスロットは、開始タイムスロットおよび終了タイムスロットを含み、
前記特定の複数のシンボルの前記識別は、前記開始タイムスロットに関連する開始シンボル、および、前記終了タイムスロットに関連する終了シンボルを含む、方法。
【請求項８】
請求項１から７のいずれか１項に記載の方法であって、前記設定は、前記ＵＬ共有チャネル上での送信が許可される前記特定の複数のタイムスロットのそれぞれの中の前記ＵＬ共有チャネルの１つまたは複数のインスタンスを識別する情報も含む、方法。
【請求項９】
請求項８に記載の方法であって、前記設定は、前記ＵＬ共有チャネル上での送信が許可される前記特定の複数のタイムスロットのそれぞれの中の前記ＵＬ共有チャネルの周期を含む、方法。
【請求項１０】
請求項８に記載の方法であって、前記設定は、前記ＵＬ共有チャネル上での送信が許可される前記特定の複数のタイムスロットの少なくとも一部の中の複数のＵＬ共有チャネルのインスタンスのそれぞれの開始位置を示す、方法。
【請求項１１】
請求項１０に記載の方法であって、
前記設定は、第２の複数のビットを含む第２のビットマップによって前記それぞれの開始位置を示し、
前記第２の複数のビットは、前記ＵＬ共有チャネル上での送信が許可される前記特定の複数のタイムスロットのそれぞれの中のそれぞれのシンボルに関連付けられる、方法。
【請求項１２】
請求項１から１１のいずれか１項に記載の方法であって、前記設定は、前記設定が、前記特定の複数のタイムスロットのすべてに適用可能であるか、または、前記特定の複数のタイムスロットのサブセットにのみ適用可能であるかも示す、方法。
【請求項１３】
請求項１から１２のいずれか１項に記載の方法であって、前記設定は、どのトラフィッククラスに前記設定が適用可能であるかも示す、方法。
【請求項１４】
無線アクセスネットワーク（ＲＡＮ）のセル内のアップリンク（ＵＬ）共有チャネル上の情報のユーザ装置（ＵＥ）による送信をスケジューリングする方法であって、
前記セル内で動作するユーザ装置（ＵＥ）に、前記ＵＬ共有チャネル上で情報を送信するためのリソースの設定を送信すること（１１１０）であって、前記設定は、前記ＵＬ共有チャネル上での送信が許可される特定の複数のタイムスロットを示し、
複数の連続するタイムスロットを示す周期パラメータと、
前記複数の連続するタイムスロット内の、前記ＵＬ共有チャネル上での送信が許可されるある数のタイムスロットを示す許可パラメータを含む、ことと、
前記送信された設定によって示される前記特定の複数のタイムスロットのうちの少なくとも１つの間に、前記ＵＬ共有チャネル上の情報をＵＥから受信すること（１１２０）、を含む、方法。
【請求項１５】
請求項１４に記載の方法であって、前記許可パラメータは、前記複数の連続するタイムスロット内の前記数の連続するタイムスロットを示す、方法。
【請求項１６】
請求項１５に記載の方法であって、
前記設定はさらに、前記周期パラメータによって示される前記複数の連続するタイムスロット内の開始タイムスロットを識別し、 
前記特定の複数のタイムスロットは、前記開始タイムスロットで始まる前記数の連続するタイムスロットを含む、方法。
【請求項１７】
請求項１４に記載の方法であって、
前記許可パラメータは、第１の複数のビットを含む第１のビットマップを含み、
前記第１のビットマップにおける各ビットは、前記ＵＬ共有チャネル上の送信が前記連続したタイムスロットの特定の１つの間に許可されるかを示す、方法。
【請求項１８】
請求項１４から１７のいずれか１項に記載の方法であって、
各タイムスロットは、複数のシンボルを含み、
前記設定はさらに、前記複数のシンボルのうちの、特定の複数のシンボルを識別し、該特定の複数のシンボルの間、前記ＵＬ共有チャネル上での送信は、前記設定によって示される前記特定の複数のタイムスロット内で許可される、方法。
【請求項１９】
請求項１８に記載の方法であって、 
前記特定の複数のシンボルの前記識別は、開始シンボルとある数の連続するシンボルを含み、
前記開始シンボルと前記数の連続するシンボルは、前記設定によって示される特定のタイムスロットのそれぞれに適用可能である、方法。複数の
【請求項２０】
請求項１８に記載の方法であって、
前記特定の複数のタイムスロットは、開始タイムスロットおよび終了タイムスロットを含み、
前記特定の複数のシンボルの前記識別は、前記開始タイムスロットに関連する開始シンボル、および、前記終了タイムスロットに関連する終了シンボルを含む、方法。
【請求項２１】
請求項１４から２０のいずれか１項に記載の方法であって、前記設定は、前記ＵＬ共有チャネル上での送信が許可される前記特定の複数のタイムスロットのそれぞれの中の前記ＵＬ共有チャネルの１つまたは複数のインスタンスを識別する情報も含む、方法。
【請求項２２】
請求項２１に記載の方法であって、前記設定は、前記ＵＬ共有チャネル上での送信が許可される前記特定の複数のタイムスロットのそれぞれの中の前記ＵＬ共有チャネルの周期を含む、方法。
【請求項２３】
請求項２１に記載の方法であって、前記設定は、前記ＵＬ共有チャネル上での送信が許可される前記特定の複数のタイムスロットの少なくとも一部の中の複数のＵＬ共有チャネルのインスタンスのそれぞれの開始位置を示す、方法。
【請求項２４】
請求項２３に記載の方法であって、
前記設定は、第２の複数のビットを含む第２のビットマップによってそれぞれの開始位置を示し、
前記第２の複数のビットは、前記ＵＬ共有チャネル上での送信が許可される前記特定の複数のタイムスロットのそれぞれの中のそれぞれのシンボルに関連付けられる、方法。
【請求項２５】
請求項１４から２４のいずれか１項に記載の方法であって、前記設定は、前記設定が、前記特定の複数のタイムスロットのすべてに適用可能であるか、または、前記特定の複数のタイムスロットのサブセットにのみ適用可能であるかも示す、方法。
【請求項２６】
請求項１４から２５のいずれか１項に記載の方法であって、前記設定は、どのトラフィッククラスに前記設定が適用可能であるかも示す、方法。
【請求項２７】
無線アクセスネットワークのセル内でアップリンク（ＵＬ）共有チャネル上で情報を送信するように構成されたユーザ装置（ＵＥ）（１４００）であって、
前記セルにサービスを提供するネットワークノードと通信するように構成されたトランシーバ回路（１４４０）と、
前記トランシーバ回路（１４４０）に動作可能に結合された処理回路（１４１０）とを備え、それによって、前記処理回路および前記トランシーバ回路は、請求項１から１３のいずれか１項に記載の方法に対応する動作を実行するように構成される、ＵＥ。
【請求項２８】
無線アクセスネットワークのセル内でアップリンク（ＵＬ）共有チャネル上で情報を送信するように構成されたユーザ装置（ＵＥ）（１４００）であって、前記ＵＥは、請求項１から１３のいずれか１項に記載の方法に対応する動作を実行するようにさらに構成される、ＵＥ。
【請求項２９】
ユーザ装置（ＵＥ）（１４００）の少なくとも１つのプロセッサ（１５１０）によって実行されるときに、前記ＵＥを、請求項１から１３のいずれか１項に記載の方法に対応する動作を実行するように構成する、コンピュータ実行可能な命令（１４２１）を記憶する非一時的コンピュータ可読媒体（１４２０）。
【請求項３０】
ユーザ装置（ＵＥ）（１４００）の少なくとも１つのプロセッサ（１４１０）によって実行されるときに、前記ＵＥを、請求項１から１３のいずれか１項に記載の方法に対応する動作を実行するように構成する、コンピュータ実行可能な命令を含むコンピュータプログラム製品（１４２１）。
【請求項３１】
無線アクセスネットワークのセル内のアップリンク（ＵＬ）共有チャネルに関する情報のユーザ装置（ＵＥ）による送信をスケジュールするように構成されたネットワークノード（１５００）であって、
前記ＵＥと通信するように構成された無線ネットワークインタフェース回路（１５４０）、および
前記無線ネットワークインタフェース回路（１５４０）に動作可能に結合された処理回路（１５１０）とを備え、それによって、前記処理回路および前記無線ネットワークインタフェース回路は、請求項１４から２６のいずれか１項に記載の方法に対応する動作を実行するように構成される、ネットワークノード。
【請求項３２】
無線アクセスネットワークのセル内のアップリンク（ＵＬ）共有チャネルに関する情報のユーザ装置（ＵＥ）による送信をスケジュールするように構成されたネットワークノード（１５００）であって、ネットワークノードは、請求項１４から２６のいずれか１項に記載の方法に対応する動作を実行するようにさらに構成される、ネットワークノード。
【請求項３３】
無線アクセスネットワーク内のネットワークノード（１５００）の少なくとも１つのプロセッサ（１５１０）によって実行されるときに、請求項１４から２６のいずれか１項に記載の方法に対応する動作を実行するようにネットワークノードを構成する、コンピュータ実行可能な命令（１５２１）を記憶する非一時的コンピュータ可読媒体（１５２０）。
【請求項３４】
無線アクセスネットワーク内のネットワークノード（１５００）の少なくとも１つのプロセッサ（１５１０）によって実行されるときに、請求項１４から２６のいずれか１項に記載の方法に対応する動作を実行するようにネットワークノードを構成する、コンピュータ実行可能な命令を含むコンピュータプログラム製品（１５２１）。
【発明の詳細な説明】
【技術分野】
【０００１】
本発明は一般に、無線通信ネットワークに関し、特に、アップリンクチャネル上で時間リソースを設定することに関する。
【背景技術】
【０００２】
一般に、本明細書で使用されるすべての用語は異なる意味が明確に与えられ、かつ/またはそれが使用される文脈から暗示されない限り、関連する技術分野におけるそれらの通常の意味に従って解釈されるべきである。要素、装置、コンポーネント、手段、ステップなどへの言及はすべて、特に明記しない限り、要素、装置、コンポーネント、手段、ステップなどの少なくとも１つのインスタンスを指すものとして開放的に解釈されるべきである。本明細書に開示される任意の方法のステップは、ステップが別のステップの後または前として明示的に記載されていない限り、および/またはステップが別のステップの後または前になければならないことが暗黙的である場合、開示される正確な順序で実行される必要はない。本明細書に開示される実施形態のいずれかの任意の特徴は、適切な場合には任意の他の実施形態に適用されてもよい。同様に、任意の実施形態の任意の利点は任意の他の実施形態に適用することができ、その逆も同様である。添付の実施形態の他の目的、特徴、および利点は、以下の説明から明らかになるのであろう。
【０００３】
ＬＴＥ（ロングタームエボリューション）は、第３世代パートナーシッププロジェクト（３ＧＰＰ）内で開発され、進化型（Evolved）ＵＴＲＡＮ（Ｅ−ＵＴＲＡＮ）としても知られるリリース８および９で最初に標準化された、いわゆる第４世代（４Ｇ）無線アクセス技術の総称である。ＬＴＥは、様々な認可された周波数帯域をターゲットとし、進化型パケットコア（ＥＰＣ）ネットワークを含む、一般にシステムアーキテクチャエボリューション（ＳＡＥ（System Architecture Evolution））と呼ばれる非無線態様の改善を伴う。ＬＴＥは、その後のリリースを通じて進化し続けている。リリース１１の特徴の１つは、強化された（enhanced）物理的ダウンリンク制御チャネル（ｅＰＤＣＣＨ（enhanced Physical Downlink Control Channel））であり、これは制御チャネルリソースのキャパシティの増加および空間的再利用の改善、セル間干渉協調（ＩＣＩＣ（inter-dell interference Coordination））の改善、および制御チャネルのためのアンテナビーム成形および/または送信ダイバーシチをサポートするという目標を有する。
【０００４】
ＬＴＥおよびＳＡＥを含むネットワークの全体的な例示的なアーキテクチャを図１に示す。Ｅ−ＵＴＲＡＮ１００は、ｅＮＢ１０５、１１０、および１１５などの１つまたは複数の進化型ノードＢ（ｅＮＢ）と、ＵＥ１２０などの１つまたは複数のユーザ装置（ＵＥ）とを備える。３ＧＰＰ規格内で使用されるように、「ユーザ装置」または「ＵＥ」は第３世代（「３Ｇ」）および第２世代（「２Ｇ」）３ＧＰＰ無線アクセスネットワークとして、Ｅ−ＵＴＲＡＮならびにＵＴＲＡＮおよび/またはＧＥＲＡＮを含む３ＧＰＰ規格準拠ネットワーク機器と通信することができる任意の無線通信デバイス（例えば、スマートフォンまたはコンピューティングデバイス）を手段する。
【０００５】
３ＧＰＰによって規定されるように、Ｅ−ＵＴＲＡＮ１００は、無線ベアラ制御、無線アドミッション制御、無線モビリティ制御、スケジューリング、アップリンクおよびダウンリンクにおけるＵＥへのリソースの動的割当て、ならびにＵＥとの通信のセキュリティを含む、ネットワーク内のすべての無線関連機能を担う。これらの機能は、ｅＮＢ１０５、１１０、１１５などのｅＮＢに存在する。Ｅ−ＵＴＲＡＮ内のｅＮＢは、図１に示されるように、Ｘ１インタフェースを介して互いに通信する。ｅＮＢは、ＥＰＣ１３０へのＥ−ＵＴＲＡＮインタフェース、具体的には図１にＭＭＥ/Ｓ−ＧＷ１３４および１３８として集合的に示される、モビリティ管理エンティティ（ＭＭＥ）およびサービングゲートウェイ（ＳＧＷ）へのＳ１インタフェースも担う。一般的に言えば、ＭＭＥ/Ｓ−ＧＷは、ＵＥの全体的な制御と、ＵＥとＥＰＣの残りの部分との間のデータフローとの両方を処理する。より具体的には、ＭＭＥは、非アクセス層（ＮＡＳ）プロトコルとして知られている、ＵＥとＥＰＣとの間の信号（例えば、制御プレーン）プロトコルを処理する。Ｓ−ＧＷは、ＵＥとＥＰＣとの間のすべてのインターネットプロトコル（ＩＰ）データパケット（データまたはユーザプレーンなど）を処理し、ＵＥがｅＮＢ１０５、１１０、１１５などのｅＮＢ間を移動するとき、データベアラのローカルモビリティアンカーとして機能する。
【０００６】
ＥＰＣ１３０はまた、ユーザおよび加入者関連情報を管理するホーム加入者サーバ（ＨＳＳ（Home Subscriber Server））１３１を含むことができる。ＨＳＳ１３１はまた、モビリティ管理、呼およびセッションのセットアップ、ユーザ認証およびアクセス許可におけるサポート機能を提供することができる。ＨＳＳ１３１の機能は、レガシーホームロケーションレジスタ（ＨＬＲ（Home Location Register））および認証センター（ＡｕＣ（Authentication Centre））の機能または動作に関連することができる。
【０００７】
いくつかの実施形態では、ＨＳＳ１３１は、Ｕｄインタフェースを介して、図１においてＥＰＣ−ＵＤＲ１３５とラベル付けされたユーザデータリポジトリ（ＵＤＲ（user data repository））と通信することができる。ＥＰＣ−ＵＤＲ１３５は、ＡｕＣアルゴリズムによって暗号化された後、ユーザクレデンシャルを保存することができる。これらのアルゴリズムは、ＥＰＣ−ＵＤＲ１３５に格納されている暗号化されたクレデンシャルがＨＳＳ１３１のベンダー以外のどのベンダーからもアクセスできないように、標準化されていない（すなわち、ベンダー固有である）。
【０００８】
図２Ａは、その構成エンティティ、ＵＥ、Ｅ−ＵＴＲＡＮ、およびＥＰＣ、ならびにアクセス層（ＡＳ）および非アクセス層（ＮＡＳ）への高レベル機能分割に関して、例示的なＬＴＥアーキテクチャの高レベルブロック図を示す。図２Ａはまた、２つの特定のインタフェースポイント、すなわち、Ｕｕ(ＵＥ/ｅ−ＵＴＲＡＮ無線インタフェース）およびＳ１（ｅ−ＵＴＲＡＮ/ＥＰＣインタフェース）を示し、それぞれは、プロトコルの特定のセット、すなわち、無線プロトコルおよびＳ１プロトコルを使用する。２つのプロトコルのそれぞれは、ユーザプレーン（または「Ｕプレーン」）および制御プレーン（または「Ｃプレーン」）プロトコル機能にさらにセグメント化することができる。Ｕｕインタフェースでは、Ｕプレーンはユーザ情報（例えば、データパケット）を搬送し、ＣプレーンはＵＥとＥ−ＵＴＲＡＮの間で制御情報を搬送する。
【０００９】
図２Ｂは、物理（ＰＨＹ）、媒体アクセス制御（ＭＡＣ）、無線リンク制御（ＲＬＣ）、パケットデータコンバージェンスプロトコル（ＰＤＣＰ）、および無線リソース制御（ＲＲＣ）レイヤを含むＵｕインタフェース上の例示的なＣプレーンプロトコルスタックのブロック図を示す。ＰＨＹレイヤは、ＬＴＥ無線インタフェース上のトランスポートチャネルを介してデータを転送するためにどのように、またどのような特性が使用されるかに関係する。ＭＡＣレイヤは、論理チャネルでのデータ転送サービスを提供し、ＰＨＹトランスポートチャネルに論理チャネルをマップし、これらのサービスをサポートするためにＰＨＹリソースを再割り当てする。ＲＬＣレイヤは、上位レイヤとの間で転送されるデータの誤り検出および/または訂正、連結、セグメント化、および再組み立て、並べ替えを提供する。ＰＨＹ、ＭＡＣ、およびＲＬＣレイヤは、ＵプレーンおよびＣプレーンの両方に対して同一の機能を実行する。ＰＤＣＰレイヤは、Ｕプレーン及びＣプレーンの両方のための暗号化/解読及び完全性保護、並びにヘッダ圧縮のようなＵプレーンのための他の機能を提供する。
【００１０】
図２Ｃは、ＰＨＹの観点からの例示的なＬＴＥ無線インタフェースプロトコルアーキテクチャのブロック図を示す。さまざまなレイヤ間のインタフェースは、図２Ｃの楕円で示されているサービスアクセスポイント（ＳＡＰ）によって提供される。ＰＨＹレイヤは、上記で説明したＭＡＣおよびＲＲＣプロトコルレイヤと相互作用する。ＭＡＣは転送される情報の種類によって特徴づけられる、ＲＬＣプロトコルレイヤ（これも上述）に、異なる論理チャネルを提供するが、ＰＨＹは無線インタフェースを通して情報がどのように転送されるかによって特徴づけられるＭＡＣへのトランスポートチャンネルを提供する。このトランスポートサービスを提供する際に、ＰＨＹは、誤り検出および訂正、符号化されたトランスポートチャネルの物理チャネルへのレートマッチングおよびマッピング、電力重み付け、変調、および物理チャネルの復調、送信ダイバーシチ、ビームフォーミング多入力多出力（ＭＩＭＯ）アンテナ処理、およびＲＲＣなどの上位レイヤへの無線測定の提供を含む様々な機能を実行する。
【００１１】
一般的に言えば、物理チャネルは、上位レイヤから発信される情報を搬送するリソースエレメントのセットに対応する。ＬＴＥ ＰＨＹによって提供されるダウンリンク（すなわち、ｅＮＢからＵＥへの）物理チャネルは、物理ダウンリンク共有チャネル（ＰＤＳＣＨ）、物理マルチキャストチャネル（ＰＭＣＨ）、物理ダウンリンク制御チャネル（ＰＤＣＣＨ）、中継物理ダウンリンク制御チャネル（Ｒ−ＰＤＣＣＨ）、物理ブロードキャストチャネル（ＰＢＣＨ）、物理制御フォーマットインジケータチャネル（ＰＣＦＩＣＨ）、および物理ハイブリッドＡＲＱインジケータチャネル（ＰＨＩＣＨ）を含む。さらに、ＬＴＥ ＰＨＹダウンリンクには、さまざまな参照信号、同期信号、およびディスカバリ信号が含まれる。
【００１２】
ＰＤＳＣＨは、ユニキャストダウンリンクデータ送信に使用される主な物理チャネルであるが、ＲＡＲ(ランダムアクセス応答）、特定のシステム情報ブロック、およびページング情報の送信にも使用される。ＰＢＣＨは、ＵＥがネットワークにアクセスするために必要な基本システム情報を搬送する。ＰＤＣＣＨは、ＰＤＳＣＨの受信に必要な、主にスケジューリング決定であるダウンリンク制御情報（ＤＣＩ）を送信するために、およびＰＵＳＣＨ上での送信を可能にするアップリンクスケジューリンググラントのために使用される。
【００１３】
ＬＴＥ ＰＨＹによって提供されるアップリンク（すなわち、ＵＥからｅＮＢへの）物理チャネルは、物理アップリンク共有チャネル（ＰＵＳＣＨ）、物理アップリンク制御チャネル（ＰＵＣＣＨ）、および物理ランダムアクセスチャネル（ＰＲＡＣＨ）を含む。加えて、ＬＴＥ ＰＨＹ上方リンクは、関連するＰＵＣＣＨまたはＰＵＳＣＨの受信においてｅＮＢを補助するために送信される復調参照信号（ＤＭ−ＲＳ）と、いずれのアップリンクリンクチャネルにも関連しないサウンディング参照信号（ＳＲＳ）とを含む様々な参照信号を含む。
【００１４】
ＰＵＳＣＨは、ＰＤＳＣＨに対応するアップリンクである。ＰＵＣＣＨは、ＵＥによって、ＨＡＲＱ確認応答、チャネル状態情報報告などを含むアップリンク制御情報を送信するために使用され、ＰＲＡＣＨは、ランダムアクセスプリアンブル送信のために使用される。
【００１５】
ＬＴＥ ＰＨＹの多重アクセス方式は、ダウンリンクにおいてサイクリックプレフィックス（ＣＰ）を持つ直交周波数分割多重（ＯＦＤＭ）と、アップリンクにおいてサイクリックプレフィックスを持つシングルキャリア周波数分割多重アクセス（ＳＣ−ＦＤＭＡ）に基づいている。ペアスペクトルおよびアンペアスペクトルでの送信をサポートするために、ＬＴＥ ＰＨＹは、周波数分割複信（ＦＤＤ）（全二重および半二重動作の両方を含む）および時分割複信（ＴＤＤ）の両方をサポートする。図３Ａは、ＬＴＥ ＰＨＹダウンリンク（ＤＬ）動作に使用される例示的な無線フレーム構造（「タイプ１」）を示す。ＤＬ無線フレームは、１０ｍｓの固定の期間（duration）を有し、それぞれが０．５ｍｓの固定の期間を有する、０〜１９とラベル付けされた２０個のスロットからなる。１ｍｓサブフレームは、２つの連続するスロットを含み、サブフレームｉは、スロット２ｉと２ｉ＋１とからなる。各例示的なＦＤＤ ＤＬスロットは、ＮDLsymbのＯＦＤＭシンボルからなり、各ＯＦＤＭシンボルは、ＮscのＯＦＤＭサブキャリアからなる。ＮDLsymbの例示的な値は、１５キロヘルツのサブキャリア間隔（ＳＣＳ）に対して７（通常のＣＰを有する）または６（拡張長ＣＰを有する）であり得る。Ｎscは、使用可能なチャネル帯域幅に基づいて構成可能である。当業者はＯＦＤＭの原理に精通しているので、さらなる詳細はこの説明では省略される。
【００１６】
図３Ａに示すように、特定のシンボルにおける特定のサブキャリアの組合せは、リソースエレメント（ＲＥ（Resource Element））として知られている。各ＲＥは、そのＲＥに使用される変調および/またはビットマッピングコンステレーションのタイプに応じて、特定の数のビットを送信するために使用される。例えば、いくつかのＲＥは、ＱＰＳＫ変調を使用して２ビットを搬送することができ、他のＲＥは、１６または６４ＱＡＭをそれぞれ使用して４または６ビットを搬送することができる。また、ＬＴＥ ＰＨＹの無線リソースは、物理リソースブロック（ＰＲＢ（Physical Resource Block））によって定義される。ＰＲＢは、スロットの期間（すなわち、ＮDLsymbシンボル）にわたってＮRBscのサブキャリアにまたがる。ここで、ＮRBscは通常、１２（１５ｋＨｚサブキャリア帯域幅）または２４（７．５ｋＨｚ帯域幅）のいずれかである。サブフレーム全体（すなわち、２ＮDLsymbシンボル）の間に同じＮRBscサブキャリアにまたがるＰＲＢは、ＰＲＢペアして知られている。したがって、ＬＴＥ ＰＨＹ ＤＬのサブフレーム内で利用可能なリソースは、ＮDLRBのＰＲＢペアを含み、それぞれが２ＮDLsymb ・ ＮRB sc ＲＥを含む。通常のＣＰおよび１５ＫＨｚのＳＣＳの場合、ＰＲＢペアは１６８個のＲＥを含む。
【００１７】
ＰＲＢの典型的な特性の１つは、連続番号のＰＲＢ（例えば、ＰＲＢiおよびＰＲＢi+1）がサブキャリアの連続したブロックを含むことである。例えば、通常のＣＰおよび１５ＫＨｚサブキャリア帯域幅では、ＰＲＢ0はサブキャリア０〜１１で構成され、ＰＲＢ1はサブキャリア１２〜２３で構成される。ＬＴＥ ＰＨＹリソースはまた、ＰＲＢと同じサイズであるが、局所化された（localized）タイプまたは分散された（distributed）タイプのいずれかであり得る仮想リソースブロック（ＶＲＢ）に関して定義され得る。局所化されたＶＲＢは、ＶＲＢ ｎVRBがＰＲＢ ｎPRB = ｎVRBに対応するように、ＰＲＢに直接マッピングすることができる。一方、分散されたＶＲＢは、３ＧＰＰ技術仕様（ＴＳ）３６．２１３に記載されているように、または当業者に知られているように、様々な規則に従って非連続ＰＲＢにマッピングすることができる。ただし、本開示では、「ＰＲＢ」という用語が物理リソースブロックおよび仮想リソースブロックの両方を指すために使用されるものとする。さらに、「ＰＲＢ」という用語は、別段の指定がない限り、サブフレームの期間中のリソースブロック、すなわちＰＲＢペアを指すために以下で使用されるものとする。
【００１８】
図３Ｂは、図３Ａに示す例示的なＦＤＤ ＤＬ無線フレームと同様の方法で構成された例示的なＬＴＥ ＦＤＤアップリンク（ＵＬ）無線フレームを示す。上記のＤＬ説明と一致する用語を使用して、各ＵＬスロットはＮULsymbのＯＦＤＭシンボルからなり、各ＯＦＤＭシンボルは、ＮscのＯＦＤＭサブキャリアからなる。
【００１９】
上述のように、ＬＴＥ ＰＨＹは、様々なＤＬおよびＵＬ物理チャネルを、それぞれ図３Ａおよび図３Ｂに示すリソースにマッピングする。例えば、ＰＨＩＣＨは、ＵＥによるＵＬ送信のためのＨＡＲＱフィードバック（例えば、ＡＣＫ/ＮＡＫ）を搬送する。同様に、ＰＤＣＣＨはスケジューリング割り当て、ＵＬチャネルのためのチャネル品質フィードバック（例えば、ＣＳＩ）、および他の制御情報を搬送する。同様に、ＰＵＣＣＨは、スケジューリング要求、ダウンリンクチャネルのためのＣＳＩ、ｅＮＢ ＤＬ送信のためのＨＡＲＱフィードバック、および他の制御情報などのアップリンク制御情報を搬送する。ＰＤＣＣＨおよびＰＵＣＣＨの両方は１つまたはいくつかの連続する制御チャネル要素（ＣＣＥ）のアグリゲーション上で送信することができ、ＣＣＥは、それぞれが複数のＲＥから構成されるリソース要素グループ（ＲＥＧ）に基づいて物理リソースにマッピングされる。例えば、ＣＣＥは９つのＲＥＧを備えることができ、その各々は、４つのＲＥを備えることができる。
【００２０】
ＬＴＥでは、ＤＬ送信が動的にスケジュールされ、すなわち、各サブフレームにおいて、基地局は現在のダウンリンクサブフレームにおいて、どの端末にデータが送信され、どのリソースブロック上でデータが送信されるかを示す制御情報を送信する。この制御シグナリングは通常、各サブフレーム内の最初のｎ個のＯＦＤＭシンボルで送信され、数ｎ(=１、２、３、または４）は、制御領域の最初のシンボルで送信されるＰＣＦＩＣＨによって示される制御フォーマットインジケータ（ＣＦＩ）として知られている。
【００２１】
ＬＴＥは主にユーザ間通信のために設計されたが、５Ｇ（「ＮＲ」とも呼ばれる）セルラネットワークは高シングルユーザデータレート（例えば、１Ｇｂ/ｓ）と、周波数帯域幅を共有する多くの異なるデバイスからの短いバースト送信を含む大規模なマシン間通信との両方をサポートすることが想定されている。５Ｇ無線規格（「New radio」または「ＮＲ」とも呼ばれる）は現在、ｅＭＢＢ（enhanced Mobile Broad Band）ＵＲＬＬＣ（Ultra-Reliable Low Latency Communication）、およびマシンタイプ通信（ＭＴＣ）を含む広範囲のデータサービスを対象としている。これらのサービスは、異なる要件および目的を有することができる。例えば、ＵＲＬＬＣは、極めて厳格な誤り要件およびレイテンシ要件、例えば、１０-5以下の誤り確率、および１ｍｓ以下のエンドツーエンドレイテンシ（待ち時間）を有するデータサービスを提供することを意図している。ｅＭＢＢの場合、レイテンシおよび誤り確率に関する要件はそれほど厳しくなくてもよいが、必要なサポートされるピークレートおよび/またはスペクトル効率はより高くてもよい。対照的に、ＵＲＬＬＣサービスは、低遅延および高い信頼性の送信を必要とするが、おそらく中程度のデータ速度のためである。
【００２２】
ＬＴＥと同様に、ＮＲは下りリンクでＣＰ−ＯＦＤＭ（サイクリックプレフィックス直交周波数分割多重）を使用し、上りリンクでＣＰ−ＯＦＤＭとＤＦＴ拡散ＯＦＤＭ（ＤＦＴ−Ｓ−ＯＦＤＭ）の両方を使用する。時間領域では、ＮＲのダウンリンクおよびアップリンク物理リソースがそれぞれ１ｍｓの等しいサイズのサブフレームに編成される。サブフレームは等しい期間の複数のスロットにさらに分割され、各スロットは複数のＯＦＤＭベースのシンボルを含む。ＮＲのスロットは、正規サイクリックプレフィックスを持つ１４のＯＦＤＭシンボル、および拡張サイクリックプレフィックスのための１２のＯＦＤＭシンボルを含むことができる。
【００２３】
低レイテンシのデータ送信のための解決策の１つは、より短い送信時間隔である。スロットベースの送信に加えて、ＮＲ ＰＨＹは、ミニスロット送信を可能にする。ミニスロットには、１つのシンボルから、スロット内のシンボル数より１つ少ないシンボルまでを含めることができ、スロット内の任意のシンボルから開始することができる。それにもかかわらず、スロットとミニスロットのコンセプトは、特定のサービスに固有のものではないため、ミニスロットはｅＭＢＢ、ＵＲＬＬＣ、またはその他のサービスのいずれかに使用することができる。
【００２４】
ミニスロットは、スロットの送信期間が長すぎる場合や、次のスロット開始（スロット位置合わせ）の発生が遅すぎる場合に使用できる。ミニスロットのアプリケーションには、遅延時間クリティカル送信（ミニスロット長およびミニスロット周波数の両方が重要である）およびミニスロット周波数が特に重要であるアンライセンス（免許不要（unlicenced））のスペクトル（例えば、ＮＲ−Ｕ）が含まれる。
【００２５】
ノードがアンライセンスのスペクトル（５ＧＨｚ帯域など）で送信するようにするには、通常、リッスン・ビフォア・トーク（ＬＢＴ（listen-before-talk））またはクリアチャネルアセスメント（ＣＣＡ（clear channel assessment））を実行する必要がある。この手順は、ある数の時間間隔に対して媒体をアイドル（空き）として感知することを含むことができ、これは、エネルギー検出、プリアンブル検出、または仮想キャリア検知を含む様々な方法で行うことができる。仮想キャリア検知では、ノードが送信がいつ終了したかを通知する制御情報を他の送信ノードから読み出す。媒体アイドルを感知した後、ノードは、典型的には送信機会（ＴＸＯＰ（transmission opportunity））と呼ばれる、ある量の時間の間、送信することを許可される。ＴＸＯＰの長さは、実行されたＣＣＡの調節およびタイプに依存するが、典型的には１ｍｓ〜１０ｍｓの範囲である。
【００２６】
アンライセンスのスペクトルアプリケーションに関して、ＮＲのミニスロットは、チャネルが５００ｕｓごとにしかアクセスできないＬＴＥライセンス支援アクセス（ＬＡＡ（licenced assisted access））と比較して、ノードがはるかに細かい時間隔でチャネルにアクセスすることを可能にする。例えば、ＮＲにおける６０ｋＨｚのＳＣＳ及び２シンボルのミニスロットでは、チャネルは３６μｓ間隔でアクセスされることができる。
【００２７】
上述のＮＲのミニスロットはライセンスされていない動作（例えば、ＮＲ−Ｕ）に利点を提供するが、ＵＥによる特定のＵＬシンボル（複数）またはミニスロットの使用を割り当てるか、または除外するための柔軟性に関する様々な問題、問題、および/または欠点も取り込まれる。
【発明の概要】
【００２８】
本開示の実施形態は、上述の例示的な問題を克服するための解決策を容易にすることなどによって、無線通信ネットワークにおけるユーザ装置（ＵＥ）とネットワークノードとの間の通信に特定の改善を提供する。
【００２９】
本開示のいくつかの例示的な実施形態は、無線アクセスネットワーク（ＲＡＮ）のセル内のアップリンク（ＵＬ）共有チャネル上で情報を送信するための方法および/または手順を含む。例示的な方法および/または手順は、ＲＡＮにおけるセルにサービスを提供するように構成されたネットワークノード（例えば、基地局、ｅＮＢ、ｇＮＢなど、またはそれらの構成要素）と通信するユーザ装置（例えば、ＵＥ、無線デバイス、ＩｏＴデバイス、モデムなど、またはそれらの構成要素）によって実行され得る。
【００３０】
これらの例示的な方法および/または手順は、セルにサービスを提供するネットワークノードから、ＵＬ共有チャネル上で情報を送信するためのリソースの設定を受信することを含むことができる。いくつかの実施形態では、ＵＬ共有チャネルは、ＰＵＳＣＨでありうる。例えば、ＵＥは、ＰＤＣＣＨ上のＤＣＩまたはＰＤＳＣＨ上のＲＲＣシグナリングを介して設定を受信することができる。設定は、ＵＬ共有チャネル上での送信が許可される特定の複数のタイムスロットを示すことができ、複数の連続するタイムスロットを示す周期パラメータを含むことができる。設定はまた、複数の連続するタイムスロット内の特定の複数のタイムスロットを示す許可パラメータを含むことができ、該特定の複数のタイムスロットの間、ＵＬ共有チャネル上での送信が許容される。許可パラメータは、開始スロット、ビットマップなどによって、様々な方法で伝達することができる。いくつかの実施形態では、設定はまた、特定の複数のタイムスロットで、ＵＬ共有チャネル上での送信が許可されるシンボルを示すことができる。
【００３１】
例示的な方法および/または手順はまた、受信された設定によって示される特定の複数のタイムスロットのうちの少なくとも１つの間に、ＵＬ共有チャネル上で情報を送信することを含むことができる。
【００３２】
本開示の他の例示的な実施形態は、無線アクセスネットワーク（ＲＡＮ）のセル内のアップリンク（ＵＬ）共有チャネル上の情報の、ユーザ装置（ＵＥ）による送信をスケジューリングするための方法および/または手順を含む。例示的な方法および/または手順は、ユーザ装置（例えば、ＵＥ、無線デバイス、ＩｏＴデバイスなど、またはそれらの構成要素）と通信して、セルにサービスを提供するように構成されたネットワークノード（例えば、基地局、ｅＮＢ、ｇＮＢなど、またはそれらの構成要素）によって実行され得る。
【００３３】
これらの例示的な方法および/または手順は、ＵＬ共有チャネル上で情報を送信するためのリソースの設定を、セル内で動作しているＵＥに送信することを含むことができる。いくつかの実施形態では、ＵＬ共有チャネルは、ＰＵＳＣＨでありうる。例えば、ネットワークノードは、ＰＤＣＣＨ上でＤＣＩを介して、またはＰＤＳＣＨ上でＲＲＣシグナリングを介して、設定を送信することができる。設定は、ＵＬ共有チャネル上での送信が許可される特定の複数のタイムスロットを示すことができ、複数の連続するタイムスロットを示す周期パラメータを含むことができる。設定はまた、複数の連続するタイムスロット内の特定の複数のタイムスロットを示す許可パラメータを含むことができ、該特定の複数のタイムスロットの間、ＵＬ共有チャネル上での送信が許容される。許可パラメータは、開始スロット、ビットマップなどによって、様々な方法で伝達することができる。いくつかの実施形態では、設定はまた、特定の複数のタイムスロットで、ＵＬ共有チャネル上での送信が許可されるシンボルを示すことができる。
【００３４】
例示的な方法および/または手順はまた、受信された設定によって示された特定の複数のタイムスロットのうちの少なくとも１つの間に、ＵＬ共有チャネルに関する情報をＵＥから受信することを含むことができる。
【００３５】
他の例示的な実施形態は、本明細書で説明される例示的な方法および/または手順のいずれかに対応する動作を実行するように構成されたネットワークノード（例えば、基地局、ｅＮＢ、ｇＮＢなど、またはそれらの構成要素）またはユーザ装置（ＵＥ、例えば、無線デバイス、ＩｏＴデバイスなど、またはそれらの構成要素）を含む。他の例示的な実施形態は、少なくとも１つのプロセッサによって実行されるとき、本明細書に記載する例示的な方法および/または手順のいずれかに対応する動作を実行するように、そのようなネットワークノードまたはＵＥを構成するプログラム命令を記憶する、非一時的なコンピュータ読み取り可能な媒体を含む。
【００３６】
本開示の例示的な実施形態のこれらおよび他の目的、特徴、および利点は、以下に簡潔に記載される図面を考慮して以下の詳細な説明を読むことによって明らかになるのであろう。
【図面の簡単な説明】
【００３７】
【図１】図１は、３ＧＰＰによって標準化された、ロングタームエボリューション（ＬＴＥ）進化型ＵＴＲＡＮ（Ｅ−ＵＴＲＡＮ）および進化型パケットコア（ＥＰＣ）ネットワークの例示的なアーキテクチャの高レベルブロック図である。
【図２Ａ】図２Ａは、その構成要素、プロトコル、およびインタフェースに関する例示的なＥ−ＵＴＲＡＮアーキテクチャの高レベルブロック図である。
【図２Ｂ】図２Ｂは、ユーザ装置（ＵＥ）とＥ−ＵＴＲＡＮとの間の無線（Ｕｕ）インタフェースの制御プレーン部分の例示的なプロトコルレイヤのブロック図である。
【図２Ｃ】図２Ｃは、ＰＨＹレイヤの観点からの例示的なＬＴＥ無線インタフェースプロトコルアーキテクチャのブロック図である。
【図３Ａ】図３Ａ、および
【図３Ｂ】図３Ｂは、それぞれ、周波数分割複信（ＦＤＤ）動作に使用される例示的なダウンリンクおよびアップリンクＬＴＥ無線フレーム構造のブロック図である。
【図４】図４は、ＮＲ（例えば、５Ｇ）スロットのための例示的な時間周波数リソースグリッドを示す。
【図５Ａ】図５Ａ、および
【図５Ｂ】図５Ｂを含む図５は、例示的なＮＲスロットおよびミニスロット構成を示す。
【図６Ａ】図６Ａ、
【図６Ｂ】図６Ｂ、
【図６Ｃ】図６Ｃ、
【図６Ｄ】図６Ｄを含む図６は、ＮＲスロット内の様々な例示的なアップリンク−ダウンリンク（ＵＬ−ＤＬ）の配置を示す。
【図７】図７、および
【図８】図８は、本開示の様々な例示的な実施形態による、２つの例示的な構成されたＵＬグラントを示すタイミング図を示す。
【図９】図９は、本開示の様々な例示的な実施形態による、構成されたＵＬグラントによって示されるグラントスロット内の例示的な物理アップリンク共有チャネル（ＰＵＳＣＨ）パターン構成を示す。
【図１０】図１０は、本開示の様々な例示的な実施形態による、無線アクセスネットワーク（ＲＡＮ）のセル内のアップリンク（ＵＬ）共有チャネル上で情報を送信するための例示的な方法および/または手順の流れ図である。
【図１１】図１１は、本開示の１つまたは複数の例示的な実施形態による、ユーザ装置（ＵＥ）による、ＲＡＮのセル内のアップリンク（ＵＬ）共有チャネル上の情報の送信をスケジューリングするための例示的な方法および/または手順の流れ図である。
【図１２】図１２、および、
【図１３】図１３は、例示的な５Ｇネットワークアーキテクチャの２つの高レベル図を示す。
【図１４】図１４は、様々な例示的な実施形態に従って構成可能な例示的なワイヤレスデバイスまたはＵＥのブロック図を示す。
【図１５】図１５は、様々な実施形態に従って構成可能な例示的なネットワークノードのブロック図を示す。
【図１６】図１６は、様々な例示的な実施形態による、ホストコンピュータとＵＥとの間でオーバーザトップ（ＯＴＴ）データサービスを提供するために使用可能な例示的なネットワーク構成のブロック図を示す。
【発明を実施するための形態】
【００３８】
ここで、本明細書で企図される実施形態のいくつかを、添付の図面を参照してより完全に説明する。しかしながら、他の実施形態は本明細書に開示された被写体の範囲内に含まれ、開示された被写体は本明細書に記載された実施形態のみに限定されると解釈されるべきではなく、むしろ、これらの実施形態は被写体の範囲を当業者に伝えるために例として提供される。さらに、以下の用語は、以下に与えられる説明を通して使用される。
・  無線ノード：ここで使用されるように、「無線ノード」は、「無線アクセスノード」または「無線デバイス」のいずれかとすることができる。
・  無線アクセスノード：ここで使用されるように、「無線アクセスノード」（または「無線ネットワークノード」）は、信号を無線で送信および/または受信するように動作するセルラ通信ネットワークの無線アクセスネットワーク（ＲＡＮ）内の任意のノードとすることができる。無線アクセスノードのいくつかの例は基地局（例えば、３ＧＰＰ第５世代（５Ｇ）ＮＲネットワークにおける新無線（ＮＲ（New Radio））基地局（ｇＮＢ）、または３ＧＰＰ ＬＴＥネットワークにおける拡張または進化型ノードＢ（ｅＮＢ））、高電力またはマクロ基地局、低電力基地局（例えば、マイクロ基地局、ピコ基地局、ホームｅＮＢなど）、およびリレーノードを含むが、これらに限定されない。
・  コアネットワークノード：ここで使用されるように、「コアネットワークノード」は、コアネットワーク内の任意のタイプのノードである。コアネットワークノードの例としては、例えば、モビリティ管理エンティティ（ＭＭＥ）、パケットデータネットワークゲートウェイ（Ｐ−ＧＷ）、サービス能力露出機能（ＳＣＥＦ（Service Capability Exposure Function））等が挙げられる。
・  無線デバイス：ここで使用されるように、「無線デバイス」（または略して「ＷＤ」）は、ネットワークノードおよび/または他の無線デバイスと無線で通信することによってセルラ通信ネットワークにアクセスする（すなわち、セルラ通信ネットワークによってサービスされる）任意のタイプのデバイスである。特に言及しない限り、「無線デバイス」という用語は、本明細書では「ユーザ装置」（または略して「ＵＥ」）と互換的に使用される。無線デバイスのいくつかの例は、３ＧＰＰネットワーク内のＵＥおよびマシンタイプ通信（ＭＴＣ）デバイスを含むが、これらに限定されない。無線で通信することは、電磁波、電波、赤外線、および/またはエアを介して情報を伝達するのに適した他のタイプの信号を使用して、無線信号を送信および/または受信することを含むことができる。
・  ネットワークノード：ここで使用されるように、「ネットワークノード」は、無線アクセスネットワークの一部であるか、またはセルラ通信ネットワーク/システムのコアネットワークである任意のノードである。機能的には、ネットワークノードが直接的または間接的に無線デバイスおよび/またはセルラ通信ネットワーク内の他のネットワークノードまたは装置と通信し、無線デバイスへの無線アクセスを可能および/または提供し、および/またはセルラ通信ネットワーク内の他の機能（例えば、管理）を実行することができる、構成され、配置され、および/または動作可能である。
【００３９】
本明細書で与えられる説明は、３ＧＰＰセルラ通信システムに焦点を当てており、したがって、３ＧＰＰ用語または３ＧＰＰ用語に類似する用語がしばしば使用されることに留意されたい。しかしながら、本明細書で開示される概念は、３ＧＰＰシステムに限定されない。さらに、本明細書では「セル」という用語を使用するが、（特に５Ｇ ＮＲに関して）ビームをセルの代わりに使用することができ、したがって、本明細書で説明する概念はセルおよびビームの両方に等しく適用されることを理解されたい。
【００４０】
簡単に上述したように、ＮＲのミニスロットはライセンスされていない動作（例えば、ＮＲ−Ｕ）に利点を提供するが、ＵＥによる特定のＵＬミニスロット（複数）の使用を割り当てるか、または除外するための柔軟性に関して、様々な問題、問題、および/または欠点も取り込まれる。これは、ＮＲ無線インタフェースのより詳細な説明の後に、以下でより詳細に説明される。
【００４１】
図４は、ＮＲのスロットのための例示的な時間−周波数リソースグリッドを示す。図４に示すように、リソースブロック（ＲＢ）は、周波数領域において１２個の連続した（contiguous）、または連続した（consecutive）サブキャリアからなる。この例ではＲＢが１４シンボルスロットの期間の間、時間領域内の１４シンボルにまたがるが、他の実施例、異なる数のシンボルにまたがることができる。ＬＴＥと同様に、リソースエレメント（ＲＥ）は、周波数領域の１つのサブキャリアと、時間領域の１つのシンボルとからなる。共通ＲＢ（ＣＲＢ）は、０からシステム帯域幅の終わりまで番号付けされる。ＵＥのために構成された各キャリア帯域幅部分（ＢＷＰ）は、特定の構成されたＢＷＰがゼロより大きいＣＲＢで開始することができるように、ＣＲＢ ０の共通基準を有する。このようにして、ＵＥは各々が特定のＣＲＢで開始する狭いＢＷＰ（例えば、１２ＭＨｚ）およびワイドＢＷＰ（例えば、１２０ＭＨｚ）で構成されることができるが、１つのＢＷＰのみが、所与の時点でＵＥのためにアクティブであることができる。
【００４２】
ＢＷＰ内では、ＲＢは、０からＮsizeBWPi−１までの周波数領域において定義され、番号付けされる。ここで、ｉは特定のキャリアＢＷＰのインデックスである。ＬＴＥと同様に、各ＮＲリソースエレメント（ＲＥ）は、１つのＯＦＤＭシンボル間隔の間、１つのＯＦＤＭサブキャリアに対応する。様々なサブキャリア間隔（ＳＣＳ（subcarrier spacing））値（ヌメロロジーと呼ばれる）は、ＮＲにおいてサポートされ、Δｆ = （１５ × ２μ）ｋＨｚで与えられ、ここで、μ∈（０，１，２，３，４）はヌメロロジー値を示す。Δｆ = １５ｋＨｚは、ＬＴＥにおいても使用される基本（または基準）サブキャリア間隔である。スロット長は、１／２μｍｓによるサブキャリア間隔またはヌメロロジーに反比例する。例えば、Δｆ = １５ｋＨｚ（μ = ０）に対してサブフレーム当たり１つの（１−ｍｓ）スロットがあり、Δｆ = ３０ｋＨｚ（μ = １）に対してサブフレーム当たり２つの０．５ｍｓスロットがある等である。加えて、ＲＢ帯域幅は、２μ＊１８０ｋＨｚに従ってヌメロロジーに直接に関連する。
【００４３】
以下の表１は、サポートされるＮＲ送信ヌメロロジーμおよび関連するパラメータを要約する。ＵＥのＤＬおよびＵＬヌメロロジーは、ＵＥサポートに従い、ネットワークによって独立して構成することができる。
2021533629.tif 000003
【００４４】
上述のように、ＮＲのスロットは、通常のサイクリックプレフィックスを持つ１４個のＯＦＤＭシンボル、および拡張サイクリックプレフィックスを持つ１２個のＯＦＤＭシンボルを含むことができる。図５Ａは、１４個のシンボルを含む例示的なＮＲのスロット構成を示し、スロットおよびシンボル期間がそれぞれ、ＴsとＴsymbで示されている。また、上述したように、ＮＲ ＰＨＹは、ミニスロット送信を許可する（可能にする）。ミニスロットには、１つのシンボルからスロット内のシンボル数より１つ少ないシンボルまでを含めることができ、スロット内の任意のシンボルから開始することができる。図５Ｂは、ミニスロットがスロットの第３のシンボルで始まり、期間が２シンボルである、例示的なミニスロット配置を示す。
【００４５】
ＮＲのスロットはまた、ＵＬシンボルとＤＬシンボルとの様々な組み合わせで構成することができる。図６Ａ〜６Ｄを含む図６は、ＮＲのスロット内の様々な例示的なＵＬ−ＤＬ配置を示す。例えば、図６Ａは、シンボル１、すなわち「遅いスタート」で送信が開始される、ＤＬのみ（つまり、ＵＬ送信なし）のスロットの例を示す。図６Ｂは、１つのＵＬシンボルを有する例示的な「ＤＬ重め」スロットを示す。さらに、この例示的なスロットは、送信方向の変更を容易にするために、ＵＬシンボルの前後にガードピリオドを含む。図６Ｃは、ＤＬ制御情報（すなわち、異なるシェーディングスタイルによって示されるような、初期ＵＬシンボル）を搬送することができる単一のＵＬシンボルを有する例示的な「ＵＬ重め」スロットを示す。図６Ｄは、シンボル０におけるオンタイム開始を有する例示的なＵＬ専用スロットを示し、初期ＵＬシンボルは、ＤＬ制御情報を搬送するためにも使用可能である。
【００４６】
スロットベースの送信の場合、基地局（例えば、ｇＮＢ）は、どのＵＥがそのスロットにおいてデータを受信するようにスケジュールされ、どのＲＢがそのデータを搬送するかを示すダウンリンク制御情報（ＤＣＩ）を、ＰＤＣＣＨを介して送信する。ＤＣＩは、どのＵＥがそのスロットにおいてデータを送信するようにスケジュールされ、どのＲＢがそのデータを搬送するかを示すＵＬグラントを含むことができる。ＵＥはまず、ＰＤＣＣＨからアップリンクグラントを検出して復号し、成功した場合、グラントによって示されたリソース上で対応するＰＵＳＣＨを送信する。ＤＣＩフォーマット０_０および０_１は、ＰＵＳＣＨ上で送信するためのＵＬグラントを伝えるために使用され、ＤＣＩフォーマット１_０および１_１は、ＰＤＳＣＨ上で送信するためのＤＬグラントを伝えるために使用される。他のＤＣＩフォーマット（２_０、２_１、２_２および２_３）は、スロットフォーマット情報、予約リソース、送信電力制御情報などの送信を含む他の目的のために使用される。
【００４７】
ＤＣＩは、ペイロードデータの巡回冗長検査（ＣＲＣ（Cyclic Redundancy Check））で補償されたペイロードを含む。ＤＣＩは、複数の端末によって受信されるＰＤＣＣＨ上で送信されるので、ターゲットＵＥの識別子を含める必要がある。ＮＲでは、これはＵＥに割り当てられた無線ネットワーク一時識別子（ＲＮＴＩ（Radio Network Temporary Identifier））でＣＲＣをスクランブルすることによって行われる。最も一般的には、この目的のために、サービングセルによってターゲットＵＥに割り当てられたセルＲＮＴＩ（Ｃ−ＲＮＴＩ）が使用される。識別子スクランブルされたＣＲＣと共にペイロードが符号化され、ＰＤＣＣＨ上で送信される。
【００４８】
各ＵＥは、その設定されたサーチ（探索）空間に基づいて、時間−周波数グリッドにおけるペイロードサイズおよび位置に関して複数の候補を有するＰＤＣＣＨを検出しようと試みる。ＰＤＣＣＨ候補は、制御リソースセット（ＣＯＲＥＳＥＴ（control resource set））と呼ばれる一連の時間および周波数リソースにマップされる共通またはＵＥ固有のサーチ空間内で探索される。ＰＤＣＣＨ候補を監視しなければならないサーチ空間は、ＲＲＣシグナリングを介してＵＥに設定される。監視周期は、異なるＰＤＣＣＨ候補に対しても設定される。任意の特定のスロットにおいて、ＵＥは、１つ以上のＣＯＲＥＳＥＴにマッピングされ得る複数のサーチ空間内の複数のＰＤＣＣＨ候補を監視するように構成され得る。ＰＤＣＣＨ候補は、スロットで１回、またはスロットの複数回に１回、複数回監視する必要がある場合がある。
【００４９】
ＣＯＲＥＳＥＴを定義するために使用される最小単位は、周波数において１つのＰＲＢにわたり、時間において１つのＯＦＤＭにわたるリソースエレメントグループ（ＲＥＧ）である。各ＲＥＧには、ＲＥＧが送信される無線チャネルの推定に役立つ復調参照信号（ＤＭ−ＲＳ）が含まれている。ＰＤＣＣＨを送信するとき、送信前の無線チャネルのいくつかの知識に基づいて、送信アンテナで重みを適用するためにプリコーダを使用することができる。ＲＥＧのために送信機で使用されるプリコーダが異ならなければ、時間と周波数が近接している複数のＲＥＧにわたってチャネルを推定することにより、ＵＥでのチャネル推定性能を改善することが可能である。ＵＥがチャネル推定を行うのを支援するために、複数のＲＥＧを一緒にグループ化してＲＥＧバンドルを形成することができ、ＣＯＲＥＳＥＴのためのＲＥＧバンドルサイズをＵＥに示すことができる。ＵＥは、ＰＤＣＣＨの送信に使用される任意のプリコーダがＲＥＧバンドル内のすべてのＲＥＧに対して同一であると想定することができる。ＲＥＧバンドルは、２つ、３つ、または６つのＲＥＧから構成することができる。
【００５０】
制御チャネルエレメント（ＣＣＥ）は、６つのＲＥＧからなる。ＣＣＥ内のＲＥＧは、連続的であってもよく、周波数において分散されていてもよい。ＲＥＧが周波数で分散される場合、ＣＯＲＥＳＥＴは、ＲＥＧのＣＣＥへのインターリーブされたマッピングを使用していると言われ、ＲＥＧが周波数で分散されない場合、非インターリーブされたマッピングが使用されると言われる。インターリービングは、周波数ダイバーシチを提供することができる。インターリーブを使用しないことは、チャネルの知識がスペクトルの特定の部分におけるプリコーダの使用を可能にし、受信機におけるＳＩＮＲを改善する場合に有益である。ＰＤＣＣＨ候補は、１、２、４、８、または１６個のＣＣＥに及ぶことができる。２つ以上のＣＣＥが使用される場合、最初の（第１の）ＣＣＥにおける情報は、他のＣＣＥにおいて繰り返される。したがって、使用されるアグリゲート（集約）されたＣＣＥの数は、ＰＤＣＣＨ候補のためのアグリゲーションレベルと呼ばれる。
【００５１】
ハッシュ関数を用いて、ＵＥがサーチ空間設定内で監視しなければならないＰＤＣＣＨ候補に対応するＣＣＥを決定することができる。ハッシングは、異なるＵＥに対して異なるように行われる。このようにして、ＵＥによって使用されるＣＣＥは、ランダム化され、ＣＯＲＥＳＥＴに含まれるメッセージを有する複数のＵＥ間の衝突の確率が低減される。ＵＥは一旦ＤＣＩを復号すると、それに割り当てられ、および/または特定のＰＤＣＣＨサーチ空間に関連付けられているＲＮＴＩを用いて、ＣＲＣをスクランブル解除する。一致する場合、ＵＥは、ＵＥにアドレス指定された検出されたＤＣＩを考慮し、ＤＣＩに含まれる命令（例えば、スケジューリング情報）に従う。
【００５２】
ＵＥは、ＰＤＣＣＨにおいて搬送される検出されたＤＣＩにおけるリソース割り当てフィールドを使用して、ＰＵＳＣＨまたはＰＤＳＣＨのための周波数領域におけるそのＲＢ割り当てを決定する。ランダムアクセス手順においてｍｓｇ３を搬送するＰＵＳＣＨの場合、周波数領域リソース割り当ては、ＲＡＲに含まれるＵＬグラントを使用することによってシグナリングされる。ＮＲでは、２つの周波数リソース割り当て方式、タイプ０およびタイプ１がＰＵＳＣＨおよびＰＤＳＣＨのためにサポートされる。ＰＵＳＣＨ/ＰＤＳＣＨ送信に使用するタイプは、ＲＲＣ構成（設定）パラメータによって定義することができ、またはＲＡＲ内の対応するＤＣＩまたはＵＬグラント（タイプ１が使用される）に直接示すことができる。
【００５３】
アップリンク/ダウンリンクタイプ０およびタイプ１のリソース割り当てのためのＲＢインデックスは、ＵＥのアクティブキャリアＢＷＰ内で決定され、ＵＥは（ＵＥに向けられたＰＤＣＣＨの検出時に）最初にアップリンク/ダウンリンクキャリアＢＷＰを決定し、次にキャリアＢＷＰ内のリソース割り当てを決定する。ｍｓｇ３を搬送するＰＵＳＣＨのためのＵＬ ＢＷＰは、上位レイヤパラメータによって設定される。
【００５４】
ＮＲは、２つのタイプの事前設定されたリソースをサポートし、その両方は、トランスポートブロック（ＴＢ）反復のサポートなどのいくつかの拡張を伴う既存のＬＴＥセミパーシステントスケジューリング（ＳＰＳ）に類似している。タイプ１では、設定されたグラントを伴うＵＬデータ送信は、Ｌ１シグナリングなしにＲＲＣ（再）構成のみに基づく。タイプ２は、ＬＴＥ ＳＰＳ機能に類似している。設定されたグラントを伴うＵＬデータ送信は、グラントのアクティブ化/非アクティブ化のためのＲＲＣ構成およびＬ１シグナリングの両方に基づく。この場合、ＮＲ ｇＮＢは、ＰＤＣＣＨ上で設定されたリソースを明示的にアクティブ化する必要があり、ＵＥは、ＭＡＣ制御エレメントを使用して、アクティブ化/非アクティブ化グラントの受信を確認する。
【００５５】
上述したＮＲ ＴＢ反復は、ＴＢのためのＫ個の反復のために使用される同じリソース設定を含む（ここで、Ｋは初期送信を含む）。Ｋの可能な値は｛１，２，４，８｝である。繰り返しは、｛０，２，３，１｝、｛０，３，０，３｝、または｛０，０，０，０｝のシーケンスのうちの１つへのＵＥ固有のＲＲＣシグナリングによって設定される冗長バージョン（ＲＶ）シーケンスに従う。
【００５６】
タイプ１およびタイプ２の両方の事前設定されたリソースについて、ＵＬ周期（周期性）は、上位レイヤ（ＲＲＣ）シグナリングによって設定される。例えば、以下の周期（シンボル単位）は、様々な設定されたサブキャリア間隔（ＳＣＳ）に対してサポートされる。
2021533629.tif 000004
【００５７】
タイプ１の設定されたグラントの場合、時間リソースはＲＲＣシグナリングを介して設定される。
・  timeDomainAllocation：Ｓを開始シンボルとして、ＬをＰＵＳＣＨの長さ（シンボル単位）として含む、startSymbolAndLengthを含む時間領域での設定されたアップリンクグラントの割り当て。
・  timeDomainOffset：時間領域におけるＳＦＮ = ０に対するリソースのオフセット。
アップリンクグラントが、設定されたグラントタイプ１に対して設定された後、ＭＡＣエンティティは、Ｎ番目順次アップリンクグラントが次の式（１）を満たすシンボルで発生することを考慮するものとする。
[(SFN × numberOfSlotsPerFrame × numberOfSymbolsPerSlot) + (slot number in the frame × numberOfSymbolsPerSlot) + symbol number in the slot] = 
(timeDomainOffset × numberOfSymbolsPerSlot + S + N × periodicity) modulo(1024 × numberOfSlotsPerFrame × numberOfSymbolsPerSlot)
ここで、Ｓは、timeDomainAllocationにより特定された開始シンボルである。
【００５８】
同様に、アップリンクグラントが、設定された許可タイプ２に対して設定された後、ＭＡＣエンティティは、Ｎ番目順次アップリンクグラントが次の式（２）を満たすシンボルで発生することを考慮するものとする。
[(SFN × numberOfSlotsPerFrame × numberOfSymbolsPerSlot) 
+ (slot number in the frame × numberOfSymbolsPerSlot) + symbol number in the slot] =
[SFNstart time × numberOfSlotsPerFrame × numberOfSymbolsPerSlot 
+ slotstart time × numberOfSymbolsPerSlot + symbolstart time + N × periodicity] modulo (1024 × numberOfSlotsPerFrame × numberOfSymbolsPerSlot)
ここで、SFNstart time、slotstart time、symbolstart timeは、それぞれ、設定されたアップリンクグラントが（再）初期化されたPUSCHの最初の送信のＳＦＮ、スロット、シンボルである。
【００５９】
例えば、３０ｋＨｚのサブキャリア間隔を仮定すると、ＵＬリソースを連続するスロット上に設定するために、ＵＥは、以下のうちの１つで設定されなければならない。
・  周期 = ２シンボル、Ｓ = ０、Ｌ = ２、
・  周期 = ７シンボル、Ｓ = ０、Ｌ = ７
・  周期 = １４シンボル（すなわち、１スロット、ｎ = １）、Ｓ = ０、Ｌ = １４
ここで、Ｓは開始シンボルであり、ＬはtimeDomainAllocationで設定されたＰＵＳＣＨの長さ（シンボル単位）である。
【００６０】
上記３つと同様の設定は、間にギャップがない連続スロット上でのＵＬ送信を可能にするので、ライセンスされていない動作に適している。３つすべての設定は、ＵＥがすべてのスロットにおいて、設定されたＵＬを送信することを可能にするが、スロット内のＰＵＳＣＨ長の数は、設定の間で異なる。しかしながら、ライセンスされていないチャネル上で設定されたＵＬを効率的に使用する唯一の方法が、ＵＥがすべてのスロットで送信することを可能にすることによる場合、それは非常に制限的である。ネットワーク（例えば、サービングｇＮＢ）が、設定されたＵＬのためのあるスロットを割り当てるか、または除外する際に、ある柔軟性を有することが望ましい。さらに、timeDomainAllocationは、すべての設定されたＵＬスロットに適用され、これはＵＥが１スロット周期（すなわち、ＣＰに応じて、１４または１２シンボル）で設定される場合であっても、ＳおよびＬは、ＵＬバースト内の連続するＵＬスロット間にギャップが導入されないように設定されるべきであることを手段する。
【００６１】
したがって、本開示の例示的な実施形態は、ライセンスされていないスペクトルにおける動作のために、設定されたＵＬ  ＵＥのための時間リソースを示し、割り当てるための技術を提供する。例えば、異なる送信開始シンボルを割り当てることによって、そのような技術は、同じＵＬリソースを割り当てられるイントラ設定されたＵＬ ＵＥ間の競合を低減することができる。
【００６２】
様々な実施形態では、上述のタイプ１およびタイプ２の両方の設定されたＵＬグラントに関連して、適用可能なＵＬスロットは、上述の周期（Periodicity）パラメータに加えて、許可（Allowance）パラメータを用いて（例えば、ＲＲＣシグナリングを介して）設定されることができる。例えば、許可パラメータ（以下では「Ｄ」とも呼ばれる）は、ＵＬ送信に許可される、周期パラメータによって識別される各期間内の、設定されたグラントの期間を示すことができる。より具体的な例（後述）として、Allowanceパラメータは、Periodicityパラメータで識別される各期間の連続したある数のスロット（スロットの数）を示すことができる。
【００６３】
さらに、設定に、Allowanceパラメータがないことは、ＵＥによって、各期間における１スロット期間として解釈され得る。許可パラメータが含まれている場合、２つのスロットの最小設定をfloor(Periodicity/numberOfSymbolsPerSlot)-1の最大設定まで示すことができ、Periodicityはシンボルで与えられる。上述したように、numberOfSymbolsPerSlotは、通常ＣＰおよび拡張ＣＰに対してそれぞれ１４および１２とすることができる。
【００６４】
ある実施形態では、タイプ２アップリンクグラントが上述の方法で設定された後、ＭＡＣエンティティは（Ｄ+Ｎ×ｄ）番目順次ップリンクグラント（ここで、ｄ = ０，１，．．．Ｄ−２）は次の式（３）を満たすシンボルで発生すると考えることができる。
[(SFN × numberOfSlotsPerFrame × numberOfSymbolsPerSlot) 
+ (slot number in the frame × numberOfSymbolsPerSlot) + symbol number in the slot] =
[SFNstart time × numberOfSlotsPerFrame × numberOfSymbolsPerSlot 
+ (d+slotstart time) × numberOfSymbolsPerSlot + symbolstart time + N × periodicity] modulo(1024 × numberOfSlotsPerFrame × numberOfSymbolsPerSlot)
ここで、重ねて、SFNstart time、slotstart time、symbolstart timeは、それぞれ、設定されたアップリンクグラントが（再）初期化されたPUSCHの最初の送信のＳＦＮ、スロット、シンボルである。
【００６５】
一例として、３０ｋＨｚ ＳＣＳの場合、ネットワークは、Periodicity =２８０シンボル（またはｎ = ２０に対応する２０スロット）およびAllowance =１５を設定することができる。timeDomainOffset = ５ でタイプ１が設定されたグラントでは、この方法で設定されたＵＥが各２０スロット周期内のスロット５，６，．．．，１９ でＵＬ送信（動的グラントなし）を実行できる。同様に、タイプ２設定されたグラントでは、開始スロット５を示す設定されたＵＬグラントを受信した後、このように設定されたＵＥは各２０スロット周期内のスロット５，６，．．．，１９において（動的グラントなしで）ＵＬ送信を実行することを許可される。このようにして、ネットワークは、設定されたＵＬグラントを有するＵＥによるチャネルアクセスから、各周期的な２０スロット期間内のスロット０〜４を保護することができる。図７は、Periodicity =２８０シンボル（または２０スロット）、timeDomainOffset = ５、Allowance = １５、Ｓ = ０、およびＬ = ７を有する設定されたＵＬグラントを示すタイミング図を示す。
【００６６】
いくつかの実施形態では、上記の式（３）は、設定されたＵＬグラントが（再）初期化された時間に関してではなく、事前定義されたスロット（またはＴＴＩ）番号（例えば、ＳＦＮ ０）に関して適用され得る。言い換えれば、Periodicity、timeDomainOffsetなどは、事前定義されたスロット番号に関して指定することができる。
【００６７】
他の実施形態では、ＵＥを、すべての期間における設定されたグラントの期間（例えば、連続するある数のスロット）を示すAllowanceで設定するのではなく、代わりに、ＵＥはPeriodicityによって与えられる各期間内の特定の許可されたスロット（複数）を示すAllowancePattern（許可パターン）で設定されることができる（例えば、ＤＣＩまたはＲＲＣシグナリングを介して）。上述の２０スロット（２８０シンボル）Periodicityの例を考慮すると、２０スロットの各々に対応する１ビットを有するビットマップを用いて、各スロットにおけるＵＬ送信の許可（または禁止）を示すことができる。このようにして、ネットワークは、連続および/または非連続スロットにおけるＵＬ送信を可能にすることができる。図８は、Periodicity = ２８０シンボル（または２０スロット）、Ｓ = ０、Ｌ = ７、およびAllowancePatternビットマップを有する、設定されたＵＬグラントを示すタイミング図を示す。
【００６８】
いくつかの実施形態では、ＵＥはまた、許可されたスロット内の特定のシンボル（複数）を示す追加の情報を用いて設定されることができる（これは次に、上述の任意の方法で示されることができる）。例えば、ＵＥは、設定されたＵＬバースト内の最初のスロットの開始シンボル、および/または設定されたＵＬバースト内の最後のスロットの終了シンボル（または設定されたＵＬバースト内の最後のスロットの長さ）で設定することができる。
【００６９】
いくつかの実施形態では、設定されたＵＬバーストにおけるＰＵＳＣＨの開始シンボル（Ｓ）および長さ（Ｌ、シンボル）を示すtimeDomainAllocationを含む設定を提供する代わりに、ネットワークは代わりに、設定されたＵＬバーストにおける最初のスロットの開始シンボル（Ｓ）を示すパラメータ（timeDomainAllocationと呼ぶことができるか、または異なる名前を与えられる）と、設定されたＵＬバーストにおける最後のスロットの長さ（Ｌ）（すなわち、最後のスロットの始めに利用可能なある数のシンボル）とを含む設定を提供することができる。最初および最後の（許可された）スロットは、（図７に示されるよう）Allowance（許可）値または（図８に示されるよう）AllowancePatternのような、上述の実施形態のいずれかに従って示すことができる。
【００７０】
いくつかの実施形態では、ＵＥは、許可されたスロット内のＰＵＳＣＨ開始位置の周期を示すミニスロット周期を用いて設定されることもできる。例えば、ミニスロット周期が２に設定されている場合、ＵＥは、設定されたＵＬのために許可されているスロットにおいて、２つのシンボル長の連続するＰＵＳＣＨを送信することができる。
【００７１】
他の実施形態では、ＵＥは、許可されるように設定されたスロット内のＰＵＳＣＨ送信に許可された特定のパターンを示すミニスロットパターンで設定されることもできる。例えば、パターンは、特定のＨＡＲＱプロセスに関連するトランスポートブロック（ＴＢ）を送信するために使用されることができるミニスロット/シンボルの最小数および/または最大数を示すことによって設定されることができる。図９は、これらの実施形態による、設定されたＵＬグラントによって示されるようなグラントされたスロット内（イントラスロット）の例示的なＰＵＳＣＨパターン設定を示す。例えば、図９に示すスロット内設定は、（図７に示すよう）Allowance値または（図８に示すよう）AllowancePatternのような、周期内の許可スロットを示す他の実施形態と共に使用することができる。
【００７２】
他の実施形態では、ＵＥはまた、設定されたＵＬ ＰＵＳＣＨが開始し得るシンボル（設定された許可スロット内）を示すＰＵＳＣＨ開始位置ビットマップを用いて設定され得る。ＰＵＳＣＨの長さは必ずしも設定される必要はないが、ＰＵＳＣＨ開始位置ビットマップを受信するＵＥは以下のような様々な方法でＰＵＳＣＨ長さを推測することができる。
・  指示された開始位置から許可されたスロットの終わりまで、または、
・  複数の開始位置がビットマップに示される場合（例えば、複数の１に０が点在する場合）、各長さは、次に示される開始位置まで延在すると解釈することができる。例えば、ビットマップが10010000100000に設定されている場合、ＰＵＳＣＨ送信は、５シンボルの長さの４番目のシンボルから開始され、別のＰＵＳＣＨ送信は、６シンボルの長さの９番目のシンボルから開始される。
【００７３】
上記のスロット内（またはミニスロット）設定の実施形態は、ＵＬ送信のために許可されるように設定されたすべてのスロットに適用されるものとして説明されたが、代替では、これらの実施形態は、最初の（第１の）許可されたスロットのみに適用可能であり得る。例えば、同じＵＬバースト内の後のスロットは、スロットベースのスケジューリングを使用して送信されることができる。別の例として、設定は、特定のトラフィッククラスまたはトラフィックタイプ、例えば、特定の閾値を上回るチャネルアクセス優先度クラスにマップされたＱＣＩに対してのみ適用可能である。
【００７４】
図１０は、無線アクセスネットワーク（ＲＡＮ）のセル内のアップリンク（ＵＬ）共有チャネル上で情報を送信するための例示的な方法および/または手順のフロー図を示す。例示的な方法および/または手順は、ＲＡＮにおけるセルにサービスを提供するように構成されたネットワークノード（例えば、基地局、ｅＮＢ、ｇＮＢなど、またはそれらの構成要素）と通信するユーザ装置（例えば、ＵＥ、無線デバイス、ＩｏＴデバイス、モデムなど、またはそれらの構成要素）によって実行され得る。さらに、図１０に示される例示的な方法および/または手順は、本明細書で説明される様々な例示的な利点を提供するために、本明細書で説明される他の例示的な方法および/または手順（例えば、図１１）と協働して利用され得る。図１０は、特定の順序でブロックを示すが、この順序は単に例示的なものであり、例示的な方法および/または手順の動作は示された順序とは異なる順序で実行されることができ、示されたものとは異なる機能を有するブロックに組み合わされ、かつ/または分割されることができる。オプションのブロックまたは動作は、破線によって示される。
【００７５】
図１０に示される例示的な方法および/または手順は、ブロック１０１０の動作を含むことができ、ＵＥは、セルにサービスを提供するネットワークノードから、ＵＬ共有チャネル上で情報を送信するためのリソースの設定を受信することができる。いくつかの実施形態では、ＵＬ共有チャネルがＰＵＳＣＨでありうる。例えば、ＵＥは、ＰＤＣＣＨ上のＤＣＩまたはＰＤＳＣＨ上のＲＲＣシグナリングを介して設定を受信することができる。設定は、ＵＬ共有チャネル上での送信が許可される特定の複数のタイムスロットを示すことができ、複数の連続するタイムスロットを示す周期パラメータを含むことができる。構成はまた、複数の連続するタイムスロット内の、ＵＬ共有チャネル上での送信が許可されるある数のタイムスロット（タイムスロットの数）を示す許可パラメータを含むことができる。いくつかの例では、許可パラメータは例えば、許可パラメータが上述のAllowancePatternの形式であるときに、ＵＬ共有チャネル上での送信が許可される特定の複数のタイムスロットを示す。
【００７６】
例示的な方法および/または手順はまた、ブロック１０２０の動作を含むことができ、ここで、ＵＥは、受信された設定によって示される特定の複数のタイムスロットのうちの少なくとも１つの間で（例えば、ブロック１０１０において）、ＵＬ共有チャネル上で情報を送信することができる。
【００７７】
いくつかの実施形態では、許可パラメータは、複数の連続するタイムスロット内の連続するある数のタイムスロットを示すことができる。このタイプの許可パラメータの例は、上述の「Allowance」である。これらの実施形態のいくつかでは、設定は、特定の複数のタイムスロットが開始タイムスロットで始まるある数のタイムスロットを含むことができるように、複数の連続するタイムスロット内の開始タイムスロットをさらに識別することができる。
【００７８】
他の実施形態では、許可パラメータは、第１の複数のビットを含む第１のビットマップを含むことができる。このような実施形態では、第１のビットマップ内の各ビットは、ＵＬ共有チャネル上の送信が連続したタイムスロットの特定の１つの間に許可されるか否かを示すことができる。例えば、「１」の値は、送信が許可されることを示すことができ、「０」の値は、送信が許可されないことを示すことができる。このタイプの許可パラメータの例は、上述の「AllowancePattern」である。
【００７９】
様々な図に関して上述したように、各タイムスロットは、複数のシンボル（例えば、１４または１２）を含むことができる。いくつかの実施形態では、設定はさらに、複数のうちの特定の複数のシンボルを識別することができ、その間に、ＵＬ共有チャネル上での送信が設定によって示される特定の複数のタイムスロット内で許可される。
【００８０】
これらの実施形態のいくつかでは、特定の複数のシンボルの識別は、開始シンボルおよびある数の連続するシンボル（を識別すること）を含むことができる。そのような実施形態では、開始シンボルおよびある数の連続するシンボルは、設定によって示される特定の複数のタイムスロットのそれぞれに（例えば、ＵＥによる送信のために許容可能な示されたシンボルに）適用可能である。
【００８１】
これらの実施形態のうちの他の実施形態では、特定の複数のタイムスロットは、開始タイムスロットおよび終了タイムスロットを含むことができる。このような実施形態では、特定の複数のシンボルの識別（identification）は、開始タイムスロットに関連する開始シンボルと、終了タイムスロットに関連する終了シンボルとを（識別すること）含むことができる。
【００８２】
いくつかの実施形態では、設定はまた、ＵＬ共有チャネル上での送信が許可される特定の複数のタイムスロットのそれぞれの中のＵＬ共有チャネルの１つまたは複数のインスタンスを識別する情報を含むことができる。これらの実施形態のいくつかでは、設定は、ＵＬ共有チャネル上での送信が許可される特定の複数のタイムスロットのそれぞれの中に、ＵＬ共有チャネルの周期を含むことができる。例えば、設定は、上述したように、許可されたタイムスロット内のＰＵＳＣＨ開始位置の周期を示すミニスロット周期を示すことができる。
【００８３】
これらの実施形態のうちの他の実施形態では、設定は、ＵＬ共有チャネル上での送信が許可される特定の複数のタイムスロットの少なくとも一部内の複数のＵＬ共有チャネルインスタンスのそれぞれの開始位置を示すことができる。例えば、設定は、第２の複数のビットを含む第２のビットマップによって、それぞれの開始位置を示すことができる。第２の複数のビットは、ＵＬ共有チャネル上での送信が許可される特定の複数のタイムスロットのそれぞれの中のそれぞれのシンボルに関連付けられ得る。より具体的な例として、ビットマップ値「１」は、上述したように、次に示される開始シンボルまで拡張（延長）するものとして解釈される長さで始まるＵＬ共有チャネルシンボルを示すことができる。
【００８４】
いくつかの実施形態では、設定は、特定の複数のタイムスロットのすべてに適用可能であるか、または特定の複数のタイムスロットのサブセットのみに適用可能であるか（例えば、初期タイムスロットのみ）も示すことができる。いくつかの実施形態では、設定は、どのトラフィッククラスに適用可能であるかを示すこともできる。
【００８５】
図１１は、無線アクセスネットワーク（ＲＡＮ）のセル内のアップリンク（ＵＬ）共有チャネル上の情報の、ユーザ装置（ＵＥ）による、送信をスケジューリングするための例示的な方法および/または手順のフロー図を示す。例示的な方法および/または手順は、ユーザ装置（例えば、ＵＥ、無線デバイス、ＩｏＴデバイスなど、またはそれらの構成要素）と通信して、セルにサービスを提供するように構成されたネットワークノード（例えば、基地局、ｅＮＢ、ｇＮＢなど、またはそれらの構成要素）によって実行され得る。さらに、図１１に示される例示的な方法および/または手順は、本明細書で説明される様々な例示的な利点を提供するために、本明細書で説明される他の例示的な方法および/または手順（例えば、図１０）と協働して利用され得る。図１１は、ブロックを特定の順序で示すが、この順序は単に例示的なものであり、例示的な方法および/または手順の動作は、示された順序とは異なる順序で実行されることができ、示されたものとは異なる機能を有するブロックに組み合わされ、かつ/または分割されることができる。オプションのブロックまたは動作は、破線によって示される。
【００８６】
図１１に示される例示的な方法および/または手順は、ブロック１１１０の動作を含むことができ、ここで、ネットワークノードは、ＵＬ共有チャネル上で情報を送信するためのリソースの設定を、セル内で動作するＵＥに送信することができる。いくつかの実施形態では、ＵＬ共有チャネルは、ＰＵＳＣＨでありうる。例えば、ネットワークノードは、ＰＤＣＣＨ上でＤＣＩを介して、またはＰＤＳＣＨ上でＲＲＣシグナリングを介して設定を送信することができる。設定は、ＵＬ共有チャネル上での送信が許可される特定の複数のタイムスロットを示すことができ、複数の連続するタイムスロットを示す周期パラメータを含むことができる。設定はまた、複数の連続するタイムスロット内の、ＵＬ共有チャネル上での送信が許可されるある数のタイムスロットを示す許可パラメータを含むことができる。いくつかの例では、許可パラメータは例えば、許可パラメータが上述のAllowancePatternの形成であるときに、ＵＬ共有チャネル上での送信が許可される特定の複数のタイムスロットを示す。
【００８７】
例示的な方法および/または手順はまた、ブロック１１２０の動作を含むことができ、ここで、ネットワークノードは、送信された設定によって示される特定の複数のタイムスロットのうちの少なくとも１つの間に、ＵＥからＵＬ共有チャネル上で情報を受信することができる。
【００８８】
いくつかの実施形態では、許可パラメータは、複数の連続するタイムスロット内のある数の連続するタイムスロット（の数）を示すことができる。このタイプの許可パラメータの例は、上述の「Allowance」である。これらの実施形態のいくつかでは、設定は、特定の複数のタイムスロットが開始タイムスロットで始まるある数のタイムスロットを含むことができるように、複数の連続するタイムスロット内の開始タイムスロットをさらに識別することができる。
【００８９】
他の実施形態では、許可パラメータは、第１の複数のビットを含む第１のビットマップを含むことができる。このような実施形態では、第１のビットマップにおける各ビットは、ＵＬ共有チャネル上の送信が連続したタイムスロットの特定の１つの間に許可されるか否かを示すことができる。例えば、「１」の値は、送信が許可されることを示すことができ、「０」の値は、送信が許可されないことを示すことができる。このタイプの許可パラメータの例は、上述の「AllowancePattern」である。
【００９０】
様々な図に関して上述したように、各タイムスロットは、複数のシンボル（例えば、１４または１２）を含むことができる。いくつかの実施形態では、設定はさらに、複数のうちの、特定の複数のシンボルを識別することができ、その間に、ＵＬ共有チャネル上での送信が設定によって示される特定の複数のタイムスロット内で許可される。
【００９１】
これらの実施形態のいくつかでは、特定の複数のシンボルの識別は、開始シンボルおよびある数の連続するシンボルを含むことができる。そのような実施形態では、開始シンボルおよびある数の連続するシンボルが設定によって示される特定のタイムスロットのそれぞれに（例えば、ＵＥによる送信のために許容可能な示されたシンボルに）適用可能である。
【００９２】
これらの実施形態のうちの他の実施形態では、特定の複数のタイムスロットは、開始タイムスロットおよび終了タイムスロットを含むことができる。このような実施形態では、特定の複数のシンボルの識別が開始タイムスロットに関連する開始シンボルと、終了タイムスロットに関連する終了シンボルとを含むことができる。
【００９３】
いくつかの実施形態では、設定はまた、ＵＬ共有チャネル上での送信が許可される特定の複数のタイムスロットのそれぞれの中のＵＬ共有チャネルの１つまたは複数のインスタンスを識別する情報を含むことができる。これらの実施形態のいくつかでは、設定は、ＵＬ共有チャネル上での送信が許可される特定の複数のタイムスロットのそれぞれの中に、ＵＬ共有チャネルの周期を含むことができる。例えば、設定は、上述したように、許可されたタイムスロット内のＰＵＳＣＨ開始位置の周期を示すミニスロット周期を示すことができる。
【００９４】
これらの実施形態のうちの他の実施形態では、設定は、ＵＬ共有チャネル上での送信が許可される特定の複数のタイムスロットの少なくとも一部内の複数のＵＬ共有チャネルインスタンスのそれぞれの開始位置を示すことができる。例えば、設定は、第２の複数のビットを含む第２のビットマップによって、それぞれの開始位置を示すことができる。第２の複数のビットは、ＵＬ共有チャネル上での送信が許可される特定の複数のタイムスロットのそれぞれの中のそれぞれのシンボルに関連付けられ得る。より具体的な例として、ビットマップ値「１」は、上述したように、次に示される開始シンボルまで拡張（延長）するものとして解釈される長さで始まるＵＬ共有チャネルシンボルを示すことができる。
【００９５】
いくつかの実施形態では、設定は、特定の複数のタイムスロットのすべてに適用可能であるか、または特定の複数のタイムスロットのサブセットのみ（例えば、初期タイムスロットのみ）に適用可能であるかも示すことができる。いくつかの実施形態では、設定は、どのトラフィッククラスに適用可能であるかを示すこともできる。
【００９６】
本明細書では、方法、装置、デバイス、コンピュータ可読媒体、および受信機に関して様々な実施形態を上で説明したが、当業者はそのような方法が様々なシステム、通信デバイス、コンピューティングデバイス、制御デバイス、装置、非一時的コンピュータ可読媒体などにおけるハードウェアおよびソフトウェアの様々な組合せによって実施され得ることを容易に理解するのであろう。
【００９７】
図１２は、次世代ＲＡＮ（ＮＧ−ＲＡＮ）１２９９および５Ｇコア（５ＧＣ）１２９８からなる５Ｇネットワークアーキテクチャの高レベル図を示す。ＮＧ−ＲＡＮ１２９９は、インタフェース１２０２、１２５２を介してそれぞれ接続されたｇＮＢ１２００、１２５０などの１つまたは複数のＮＧインタフェースを介して５ＧＣに接続されたセットｇＮＢを含むことができる。さらに、ｇＮＢは、ｇＮＢ１２００と１２５０との間のＸｎインタフェース１２４０のような１つ以上のＸｎインタフェースを介して互いに接続することができる。
【００９８】
ＮＧ−ＲＡＮ１２９９は、無線ネットワークレイヤ（ＲＮＬ（Radio Network Layer））とトランスポートネットワークレイヤ（ＴＮＬ（Transport Network Layer））に階層化されている。ＮＧ−ＲＡＮアーキテクチャ、すなわちＮＧ−ＲＡＮ論理ノードとそれらの間のインタフェースは、ＲＮＬの一部として定義される。ＮＧ−ＲＡＮインタフェース（ＮＧ、Ｘｎ、Ｆ１）ごとに、関連するＴＮＬプロトコルと機能が指定される。ＴＮＬは、ユーザプレーントランスポートおよびシグナリングトランスポートのためのサービスを提供する。いくつかの例示的な構成では、各ｇＮＢは、３ＧＰＰ ＴＳ ２３．５０１で定義されている「ＡＭＦ領域（AMF Region）」内のすべての５ＧＣノードに接続することができる。ＮＧ−ＲＡＮインタフェースのＴＮＬ上のＣＰおよびＵＰデータのセキュリティ保護がサポートされている場合、ＮＤＳ/ＩＰ（３ＧＰＰ ＴＳ ３３．４０１）を適用できる。
【００９９】
図１２に示すＮＧ−ＲＡＮ論理ノード（および３ＧＰＰ ＴＳ ３８．４０１および３ＧＰＰ ＴＲ ３８．８０１で説明）には、中央（cetral）（または集中（centralized））ユニット（ＣＵまたはｇＮＢ−ＣＵ）と、１つ以上の分散（distributed）（または非集中（decentralized））ユニット（ＤＵまたはｇＮＢ−ＤＵ）が含まれている。例えば、ｇＮＢ１２００は、ｇＮＢ−ＣＵ１２１０と、ｇＮＢ−ＤＵ１２２０および１２３０とを含む。ＣＵ（例えば、ｇＮＢ−ＣＵ１２１０）は、上位レイヤプロトコルをホストし、ＤＵの動作を制御するような様々なｇＮＢ機能を実行する論理ノードである。同様に、各ＤＵは、下位レイヤロトコルをホストする論理ノードであり、機能分割に応じてｇＮＢ機能のさまざまなサブセットを含めることができる。そのように、ＣＵおよびＤＵの各々は、処理回路、トランシーバ回路（例えば、通信用）、および電源回路を含む、それぞれの機能を実行するために必要とされる様々な回路を含むことができる。更に、用語「中央ユニット」および「集中ユニット」は、用語「分散ユニット」及び「非集中ユニット」と同様に、ここでは交換可能に使用される
【０１００】
ｇＮＢ−ＣＵは、図３に示すインタフェース１２２２および２３２などのそれぞれのＦ１論理インタフェースを介してｇＮＢ−ＤＵに接続される。ｇＮＢ−ＣＵおよび接続されたｇＮＢ−ＤＵは、ｇＮＢとして他のｇＮＢおよび５ＧＣ１２９８にのみ見える。言い換えると、Ｆ１インタフェースはｇＮＢ−ＣＵを越えては見えない。
【０１０１】
図１３は、次世代無線アクセスネットワーク（ＮＧ−ＲＡＮ）１３９９および５Ｇコア（５ＧＣ）１３９８を含む例示的な５Ｇネットワークアーキテクチャの高レベル図を示す。図に示すように、ＮＧ−ＲＡＮ１３９９は、それぞれのＸｎインタフェースを介して相互に接続されたｇＮＢ１３１０（例えば、１３１０ａ、ｂ）およびｎｇ−ｅＮＢ１３２０（例えば、１３２０ａ、ｂ）を含むことができる。ｇＮＢおよびｎｇ−ｅＮＢはまた、ＮＧインタフェースを介して５ＧＣ１３９８に、より具体的には、それぞれのＮＧ−Ｃインタフェースを介してＡＭＦ（アクセスおよびモビリティ管理機能（Access and Mobility Management Function））１３３０（例えば、ＡＭＦ１３３０ａ、ｂ）に、およびそれぞれのＮＧ−Ｕインタフェースを介してＵＰＦ（ユーザプレーン機能（User Plane Function））１３４０（例えば、ＵＰＦ１３４０ａ、ｂ）に接続される。
【０１０２】
各ｇＮＢ１３１０は、周波数分割二重化（ＦＤＤ）、時分割二重化（ＴＤＤ）、またはそれらの組み合わせを含む、ＮＲ無線インタフェースをサポートすることができる。対照的に、ｎｇ−ｅＮＢ１３２０の各々は、ＬＴＥ無線インタフェースをサポートするが、従来のＬＴＥ ｇＮＢとは異なり、ＮＧインタフェースを介して５ＧＣに接続する。
【０１０３】
図１４は、上述の例示的な方法および/または手順のいずれかに対応するか、またはそれらを備えるコンピュータ可読媒体上での命令の実行によることを含む、本開示の様々な例示的な実施形態に従って構成可能な例示的な無線デバイスまたはユーザ装置（ＵＥ）のブロック図を示す。
【０１０４】
例示的なデバイス１４００は、並列アドレスおよびデータバス、シリアルポート、または当業者に知られている他の方法および/または構造を備えることができるバス１４７０を介して、プログラムメモリ１４２０および/またはデータメモリ１４３０に動作可能に接続することができるプロセッサ１４１０を備えることができる。プログラムメモリ１４２０はプロセッサ１４１０によって実行されるソフトウェアコード、プログラム、および/または命令（図１４にコンピュータプログラム製品１４２１としてまとめて示される）を記憶することができ、これらは、以下に説明する動作を含む様々な動作を実行するように機器１４００を構成および/または容易にすることができる。例えば、このような命令の実行は、例えば５Ｇ/ＮＲ、ＬＴＥ、ＬＴＥ−Ａ、ＵＭＴＳ、ＨＳＰＡ、ＧＳＭ、ＧＰＲＳ、ＥＤＧＥ、１ｘＲＴＴ、ＣＤＭＡ２０００、８０２．１１ ＷｉＦｉ、ＨＤＭＩ、ＵＳＢ、Ｆｉｒｅｗｉｒｅなどとして一般に知られているような３ＧＰＰ、３ＧＰＰ２、またはＩＥＥＥによって標準化された１つ以上の無線通信プロトコル、またはトランシーバ１４４０、ユーザインタフェース１４５０、および/またはホストインタフェース１４６０と共に利用できる他の任意の現在または将来のプロトコルを含む、１つ以上の有線または無線通信プロトコルを使用して通信するように、例示的なデバイス１４００を構成および/または促進化することができる。
【０１０５】
別の例として、プロセッサ１４１０は、３ＧＰＰ（例えば、ＮＲおよび/またはＬＴＥ用）によって標準化されたＭＡＣ、ＲＬＣ、ＰＤＣＰ、およびＲＲＣレイヤプロトコルに対応するプログラムメモリ１４２０に記憶されたプログラムコードを実行することができる。さらなる例として、プロセッサ１４１０は、トランシーバ１４４０と共に、直交周波数分割多重（ＯＦＤＭ）、直交周波数分割多重アクセス（ＯＦＤＭＡ）、および単一キャリア周波数分割多重アクセス（ＳＣ−ＦＤＭＡ）などの対応するＰＨＹレイヤプロトコルを実装するプログラムメモリ１４２０に記憶されたプログラムコードを実行することができる。
【０１０６】
プログラムメモリ１４２０はまた、プロセッサ１４１０によって実行され、トランシーバ１４４０、ユーザインタフェース１４５０、および/またはホストインタフェース１４６０などの様々な構成要素の構成および制御を含む、デバイス１４００の機能を制御するソフトウェアコードを含むことができる。プログラムメモリ１４２０はまた、本明細書で説明される例示的な方法および/または手順のいずれかを実施するコンピュータ実行可能な命令を備える１つまたは複数のアプリケーションプログラムおよび/またはモジュールを備えることができる。このようなソフトウェアコードは例えば、実装された方法ステップによって定義された所望の機能が保存されている限り、Ｊａｖａ、Ｃ＋＋、Ｃ、Ｏｂｊｅｃｔｉｖｅ Ｃ、ＨＴＭＬ、ＸＨＴＭＬ、マシンコード、およびアセンブラのような、任意の既知または将来開発されるプログラミング言語を使用して指定または記述することができる。さらに、または代替として、プログラムメモリ１４２０は、デバイス１４００から離れた外部記憶装置（図示せず）を備えることができ、この外部記憶装置から、そのような命令の実行を可能にするように、デバイス１４００内に配置された、または機器１４００に取り外し可能に結合されたプログラムメモリ１４２０に命令をダウンロードすることができる。
【０１０７】
データメモリ１４３０は、プロセッサ１４１０が本明細書で説明される例示的な方法および/または手順のいずれかに対応する、またはそれらを備える動作を含む、デバイス１４００のプロトコル、構成、制御、および他の機能で使用される変数を格納するためのメモリ領域を備えることができる。さらに、プログラムメモリ１４２０および/またはデータメモリ１４３０は、不揮発性メモリ（例えば、フラッシュメモリ）、揮発性メモリ（例えば、スタティックまたはダイナミックＲＡＭ）、またはそれらの組合せを備えることができる。さらに、データメモリ１４３０は、１つ以上のフォーマット（例えば、ＳＤカード、メモリスティック、コンパクトフラッシュなど）の取り外し可能なメモリカードを挿入および取り外すことができるメモリスロットを含むことができる。当業者はプロセッサ１４１０が複数の個々のプロセッサ（例えば、マルチコアプロセッサを含む）を備えることができ、その各々が、上述の機能の一部を実装することを認識するのであろう。このような場合、複数の個々のプロセッサは、プログラムメモリ１４２０およびデータメモリ１４３０に一般的に接続することも、複数の個々のプログラムメモリおよびデータメモリまたはデータメモリに個別に接続することもできる。より一般的には、デバイス１４００の様々なプロトコルおよび他の機能がアプリケーションプロセッサ、信号プロセッサ、汎用プロセッサ、マルチコアプロセッサ、ＡＳＩＣ、固定および/またはプログラマブルデジタル回路、アナログベースバンド回路、無線周波数回路、ソフトウェア、ファームウェア、およびミドルウェアを含むが、これらに限定されない、ハードウェアおよびソフトウェアの異なる組合せを備える多くの異なるコンピュータ構成で実装され得ることを、当業者は認識するのであろう。
【０１０８】
トランシーバ１４４０は、デバイス１４００が無線通信規格および/またはプロトコルなどをサポートする他の機器と通信することを容易にする無線周波数送信器および/または受信器回路を備えることができる。いくつかの例示的な実施形態では、トランシーバ１４４０は、デバイス１４００が３ＧＰＰおよび/または他の標準化団体によって標準化のために提案されたさまざまなプロトコルおよび/または方法に従って、さまざまな５Ｇ/ＮＲネットワークと通信することを可能にする送信機および受信機を含む。例えば、そのような機能性は、他の図に関して本明細書に記載されるような、ＯＦＤＭ、ＯＦＤＭＡ、および/またはＳＣ−ＦＤＭＡ技術に基づくＰＨＹレイヤを実装するために、プロセッサ１４１０と協働して動作可能である。
【０１０９】
いくつかの例示的な実施形態では、トランシーバ１４４０は、デバイス１４００が３ＧＰＰによって公布された規格に従って、様々なＬＴＥ、ＬＴＥ−アドバンスト（ＬＴＥ−Ａ）、および/またはＮＲネットワークと通信することを可能にすることができるＬＴＥ送信機および受信機を含む。本開示のいくつかの例示的な実施形態では、トランシーバ１４４０は、デバイス１４００がやはり３ＧＰＰ規格に従って、様々な５Ｇ/ＮＲ、ＬＴＥ、ＬＴＥ−Ａ、ＵＭＴＳ、および/またはＧＳＭ/ＥＤＧＥネットワークと通信するために必要な回路、ファームウェアなどを含む。本開示のいくつかの例示的実施形態では、トランシーバ１４４０が３ＧＰＰ２規格に従って、デバイス１４００が様々なＣＤＭＡ２０００ネットワークと通信するために必要な回路、ファームウェアなどを含む。
【０１１０】
本開示のいくつかの例示的な実施形態では、トランシーバ１４４０が２．４ＧＨｚ、５．６ＧＨｚ、および/または６０ＧＨｚの領域の周波数を使用して動作するＩＥＥＥ ８０２．１１ ＷｉＦｉなどの、ライセンスされていない周波数帯域で動作する無線技術を使用して通信することができる。本開示のいくつかの例示的な実施形態では、トランシーバ１４４０がＩＥＥＥ ８０２．３イーサネット（登録商標）技術を使用することなどによって、有線通信が可能なトランシーバを備えることができる。これらの実施形態の各々に特有の機能は、データメモリ１４３０と併せて、またはそれによってサポートされるプログラムメモリ１４２０に格納されたプログラムコードを実行するプロセッサ１４１０のような、機器１４００内の他の回路と結合されるか、またはそれによって制御され得る。
【０１１１】
ユーザインタフェース１４５０は、デバイス１４００の特定の実施形態に応じて様々な形態をとることができ、または、デバイス１４００に完全に存在しなくてもよい。いくつかの例示的な実施形態では、ユーザインタフェース１４５０は、マイクロフォン、スピーカ、スライド可能ボタン、押下可能ボタン、ディスプレイ、タッチスクリーンディスプレイ、機械的または仮想キーパッド、機械的または仮想キーボード、および/または携帯電話に一般的に見られる任意の他のユーザインタフェース機能を含むことができる。他の実施形態では、デバイス１４００は、より大きなタッチスクリーンディスプレイを含むタブレットコンピューティングデバイスを備えることができる。そのような実施形態では、ユーザインタフェース１４５０の機械的特徴のうちの１つまたは複数が当業者によく知られているように、タッチスクリーンディスプレイを使用して実装される均等物のまたは機能的に均等物の仮想ユーザインタフェース機能（例えば、仮想キーパッド、仮想ボタンなど）によって置き換えることができる。他の実施形態では、デバイス１４００が特定の例示的な実施形態に応じて一体化、取り外し、または取り外し可能とすることができる機械的キーボードを備えるラップトップコンピュータ、デスクトップコンピュータ、ワークステーションなどのデジタルコンピューティングデバイスとすることができる。そのようなデジタルコンピューティングデバイスはまた、タッチスクリーンディスプレイを備えることができる。タッチスクリーンディスプレイを有するデバイス１４００の多くの例示的な実施形態は、本明細書に記載された、または当業者に知られている例示的な方法および/または手順に関連する入力などのユーザ入力を受信することができる。
【０１１２】
本開示のいくつかの例示的な実施形態では、デバイス１４００は、デバイス１４００の特徴および機能によって様々な方法で使用することができる方位センサを備えることができる。例えば、デバイス１４００は、方向センサの出力を使用して、ユーザがデバイス１４００のタッチスクリーンディスプレイの物理的方向をいつ変更したかを判断することができる。方向センサからの指示信号は、デバイス１４００上で実行される任意のアプリケーションプログラムに利用可能であり得、その結果、アプリケーションプログラムは指示信号が機器の物理的方向のおよそ９０度の変化を示す場合に、スクリーンディスプレイの方向を（例えば、縦長から横長に）自動的に変更し得る。この例示的な方法では、アプリケーションプログラムがデバイスの物理的な向きにかかわらず、ユーザによって読み取り可能な方法で画面表示を維持することができる。さらに、方位センサの出力は、本開示の様々な例示的な実施形態と併せて使用することができる。
【０１１３】
デバイス１４００の制御インタフェース１４６０は、デバイス１４００の特定の例示的な実施形態、およびデバイス１４００が通信および/または制御することが意図される他の装置の特定のインタフェース要件に応じて、様々な形態をとることができる。例えば、制御インタフェース１４６０は、ＲＳ−２３２インタフェース、ＲＳ−４８５インタフェース、ＵＳＢインタフェース、ＨＤＭＩインタフェース、Ｂｌｕｅｔｏｏｔｈインタフェース、ＩＥＥＥ（「Ｆｉｒｅｗｉｒｅ」）インタフェース、Ｉ2Ｃインタフェース、ＰＣＭＣＩＡインタフェース等を含むことができる。本開示のいくつかの例示的な実施形態では、制御インタフェース１４６０は、上述のようなＩＥＥＥ ８０２．３イーサネット（登録商標）インタフェースを備えることができる。本開示のいくつかの例示的実施形態では、制御インタフェース１４６０は、例えば、１つ以上のデジタルアナログ（Ｄ/Ａ）および/またはアナログデジタル（Ａ/Ｄ）コンバータを含むアナログインタフェース回路を備えることができる。
【０１１４】
当業者は、特徴、インタフェース、および無線周波数通信規格の上記のリストは単に例示的なものであり、本開示の範囲を限定するものではないことを認識することができる。言い換えれば、デバイス１４００は、例えば、ビデオおよび/または静止画像カメラ、マイクロフォン、メディアプレイヤおよび/またはレコーダなどを含む、図１４に示されるよりも多くの機能を備えることができる。さらに、トランシーバ１４４０は、ブルートゥース、ＧＰＳ、および/または他のものを含む追加の無線周波数通信規格を使用して通信するために必要な回路を含むことができる。さらに、プロセッサ１４１０は、プログラムメモリ１４２０に記憶されたソフトウェアコードを実行して、このような追加機能を制御することができる。例えば、ＧＰＳ受信機から出力される指向性の速度および/または位置推定値は、本開示の様々な例示的な実施形態による様々な例示的な方法および/またはコンピュータ可読媒体を含む、デバイス１４００上で実行される任意のアプリケーションプログラムに利用可能であり得る。
【０１１５】
図１５は、他の図を参照して上述したものを含む、本開示の様々な実施形態に従って構成可能な例示的なネットワークノード１５００のブロック図を示す。いくつかの例示的な実施形態では、ネットワークノード１５００が基地局、ｅＮＢ、ｇＮＢ、またはそれらの構成要素を備えることができる。ネットワークノード１５００は、パラレルアドレスおよびデータバス、シリアルポート、または当業者に知られている他の方法および/または構造を備えることができるバス１５７０を介してプログラムメモリ１５２０およびデータメモリ１５３０に動作可能に接続されるプロセッサ１５１０を備える。
【０１１６】
プログラムメモリ１５２０は、ネットワークノード１５００が以下に説明する動作を含む様々な動作を実行するように構成および/または容易にできるプロセッサ１５１０によって実行されるソフトウェアコード、プログラムおよび/または命令（図１５にコンピュータプログラム製品１５２１としてまとめて示される）を記憶することができる。例えば、そのような格納された命令の実行は、上記で論じられた１つまたは複数の例示的な方法および/または手順を含む、本開示の様々な実施形態によるプロトコルを使用して、１つまたは複数の他のデバイスと通信するようにネットワークノード１５００を構成することができる。さらに、そのような格納された命令の実行はＬＴＥ、ＬＴＥ−Ａ、および/またはＮＲのために３ＧＰＰによって標準化されたＰＨＹ、ＭＡＣ、ＲＬＣ、ＰＤＣＰ、およびＲＲＣレイヤプロトコルのうちの１つまたは複数、あるいは無線ネットワークインタフェース１５４０およびコアネットワークインタフェース１５５０に関連して利用される任意の他の上位レイヤプロトコルなど、他のプロトコルまたはプロトコルレイヤを使用して、１つまたは複数の他のデバイスと通信するように、ネットワークノード１５００を構成し、かつ/または容易にすることもできる。限定ではなく例として、コアネットワークインタフェース１５５０は３ＧＰＰによって標準化されているように、Ｓ１インタフェースを備えることができ、無線ネットワークインタフェース１５５０は、Ｕｕインタフェースを備えることができる。プログラムメモリ１５２０はまた、無線ネットワークインタフェース１５４０およびコアネットワークインタフェース１５５０のような様々な構成要素の構成および制御を含む、ネットワークノード１５００の機能を制御するためにプロセッサ１５１０によって実行されるソフトウェアコードを含むことができる。
【０１１７】
データメモリ１５３０は、プロセッサ１５１０がネットワークノード１５００のプロトコル、構成、制御、および他の機能で使用される変数を格納するためのメモリ領域を含むことができる。したがって、プログラムメモリ１５２０およびデータメモリ１５３０は不揮発性メモリ（例えば、フラッシュメモリ、ハードディスクなど）、揮発性メモリ（例えば、スタティックＲＡＭまたはダイナミックＲＡＭ）、ネットワークベース（例えば、「クラウド」）ストレージ、またはそれらの組合せを備えることができる。当業者は、プロセッサ１５１０が複数の個別のプロセッサ（図示せず）を備えることができ、その各々が上述の機能の一部を実装することを認識するのであろう。このような場合、複数の個々のプロセッサは、プログラムメモリ１５２０およびデータメモリ１５３０に一般的に接続されてもよく、または複数の個々のプログラムメモリおよび/またはデータメモリに個別に接続されてもよい。より一般的にはネットワークノード１５００の様々なプロトコルおよび他の機能がアプリケーションプロセッサ、信号プロセッサ、汎用プロセッサ、マルチコアプロセッサ、ＡＳＩＣ、固定デジタル回路、プログラマブルデジタル回路、アナログベースバンド回路、無線周波数回路、ソフトウェア、ファームウェア、およびミドルウェアを含むが、これらに限定されない、ハードウェアおよびソフトウェアの多くの異なる組合せで実装され得ることを、当業者は認識するのであろう。
【０１１８】
無線ネットワークインタフェース１５４０は、送信機、受信機、信号プロセッサ、ＡＳＩＣ、アンテナ、ビーム形成ユニット、および、ネットワークノード１５００がいくつかの実施形態では、複数の互換ユーザ装置（ＵＥ）などの他の機器と通信することを可能にする他の回路を備えることができる。いくつかの例示的な実施形態では、無線ネットワークインタフェースがＬＴＥ、ＬＴＥ−Ａ、および/または５Ｇ/ＮＲのために３ＧＰＰによって標準化されたＰＨＹ、ＭＡＣ、ＲＬＣ、ＰＤＣＰ、およびＲＲＣレイヤプロトコルなどの様々なプロトコルまたはプロトコルレイヤ、本明細書で上述したようなそれらの改善、または無線ネットワークインタフェース１５４０と併せて利用される任意の他のより高いレイヤのプロトコルを備えることができる。本開示のさらなる例示的な実施形態によれば、無線ネットワークインタフェース１５４０は、ＯＦＤＭ、ＯＦＤＭＡ、および/またはＳＣ−ＦＤＭＡ技術に基づくＰＨＹレイヤを含むことができる。ある実施形態では、このようなＰＨＹ層の機能性が無線ネットワークインタフェース１５４０およびプロセッサ１５１０（メモリ１５２０内のプログラムコードを含む）によって協調的に提供することができる。
【０１１９】
コアネットワークインタフェース１５５０は、ネットワークノード１５００がいくつかの実施形態では回線交換（ＣＳ）および/またはパケット交換コア（ＰＳ）ネットワークなどのコアネットワーク内の他の機器と通信することを可能にする、送信機、受信機、および他の回路を備えることができる。いくつかの実施形態では、コアネットワークインタフェース１５５０は、３ＧＰＰによって標準化されたＳ１インタフェースを備えることができる。いくつかの例示的な実施形態では、コアネットワークインタフェース１５５０が１つまたは複数のＳＧＷ、ＭＭＥ、ＳＧＳＮ、ＧＧＳＮ、ならびに当業者に知られているＧＥＲＡＮ、ＵＴＲＡＮ、Ｅ−ＵＴＲＡＮ、およびＣＤＭＡ２０００コアネットワークに見られる機能を備える他の物理デバイスへの１つまたは複数のインタフェースを備えることができる。いくつかの実施形態では、これらの１つまたは複数のインタフェースが単一の物理インタフェース上で一緒に多重化され得る。いくつかの実施形態では、コアネットワークインタフェース１５５０の下位レイヤが非同期転送モード（ＡＴＭ）、イーサネット（登録商標）上のインターネットプロトコル（ＩＰ）、光ファイバ上のＳＤＨ、銅線上のＴ１/Ｅ１/ＰＤＨ、マイクロ波無線、または当業者に知られている他の有線または無線伝送技術のうちの１つまたは複数を備えることができる。
【０１２０】
ＯＡ&Ｍインタフェース１５６０は、ネットワークノード１５００またはそれに動作可能に接続された他のネットワーク機器の動作、管理、および保守のために、ネットワークノード１５００が外部ネットワーク、コンピュータ、データベースなどと通信することを可能にする、送信機、受信機、および他の回路を備えることができる。ＯＡ&Ｍインタフェース１５６０の下位レイヤは、非同期転送モード（ＡＴＭ）、インターネットプロトコル（ＩＰ）−オーバーイーサネット（登録商標）、光ファイバ上のＳＤＨ、銅線上のＴ１/Ｅ１/ＰＤＨ、マイクロ波無線、または当業者に知られている他の有線または無線伝送技術のうちの１つまたは複数を備えることができる。さらに、いくつかの実施形態では、無線ネットワークインタフェース１５４０、コアネットワークインタフェース１５５０、およびＯＡ&Ｍインタフェース１５６０のうちの１つまたは複数は上に列挙された例などの単一の物理インタフェース上で一緒に多重化され得る。
【０１２１】
図１６は、本開示の１つまたは複数の例示的な実施形態による、ホストコンピュータとユーザ装置（ＵＥ）との間でオーバーザトップ（ＯＴＴ）データサービスを提供するように構成された例示的な通信ネットワークのブロック図である。ＵＥ１６１０は、例えば、ＬＴＥ、ＬＴＥ−Ａ、および５Ｇ/ＮＲを含む上述のプロトコルに基づくことができる無線インタフェース１６２０を介して無線アクセスネットワーク（ＲＡＮ）１６３０と通信することができる。例えば、ＵＥ１６１０は、上述の他の図に示されるように構成および/または配置されうる。ＲＡＮ１６３０は、認可スペクトル帯域で動作可能な１つまたは複数のネットワークノード（例えば、基地局、ｅＮＢ、ｇＮＢ、コントローラなど）、ならびに２．４ＧＨｚ帯域および/または５ＧＨｚ帯域などの（例えば、ＬＡＡまたはＮＲ−Ｕ技術を使用して）非認可スペクトルで動作可能な１つまたは複数のネットワークノードを含むことができる。そのような場合、ＲＡＮ１６３０を備えるネットワークノードは、ライセンスされたスペクトルおよびライセンスされていないスペクトルを使用して協働して動作することができる。
【０１２２】
ＲＡＮ１６３０は、上述した様々なプロトコルおよびインタフェースに従って、コアネットワーク１６４０とさらに通信することができる。例えば、ＲＡＮ１６３０を備える１つまたは複数の装置（例えば、基地局、ｅＮＢ、ｇＮＢなど）は、上述のコアネットワークインタフェース１６５０を介してコアネットワーク１６４０と通信することができる。いくつかの例示的な実施形態では、ＲＡＮ１６３０およびコアネットワーク１６４０が上で論じた他の図に示すように構成および/または配置することができる。例えば、Ｅ−ＵＴＲＡＮ１６３０を備えるｅＮＢは、図１に示されるようなＳ１インタフェースを介してＥＰＣコアネットワーク１６４０と通信することができる。別の例として、ＮＲ ＲＡＮ１６３０を備えるｇＮＢは、図１２〜１３に示されるようなＮＧインタフェースを介して５ＧＣコアネットワーク１６３０と通信することができる。
【０１２３】
コアネットワーク１６４０は、当業者に知られている種々のプロトコルおよびインタフェースに従って、インターネット１６５０として図１６に示されている外部パケットデータネットワークと更に通信することができる。多くの他の装置および/またはネットワークも、例示的なホストコンピュータ１６６０のようなインターネット１６５０に接続し、それを介して通信することができる。いくつかの例示的な実施形態では、ホストコンピュータ１６６０がインターネット１６５０、コアネットワーク１６４０、およびＲＡＮ１６３０を媒介として使用して、ＵＥ１６１０と通信することができる。ホストコンピュータ１６６０はサービスプロバイダの所有権および/または管理下にあるサーバ（例えば、アプリケーションサーバ）とすることができる。ホストコンピュータ１６６０は、ＯＴＴサービスプロバイダによって、またはサービスプロバイダの代わりに別のエンティティによって操作することができる。
【０１２４】
例えば、ホストンピュータ１６６０は、コアネットワーク１６４０およびＲＡＮ１６３０の設備を使用して、ホストコンピュータ１６６０との間の発信/着信通信のルーティングを意識することができない、オーバーザトップ（ＯＴＴ）パケットデータサービスをＵＥ１６１０に提供することができる。同様に、ホストコンピュータ１６６０は、ホストコンピュータからＵＥへの送信、例えばＲＡＮ１６３０を介した送信のルーティングを意識することができない。例えば、ホストコンピュータからＵＥへのストリーミング（単方向）オーディオおよび/またはビデオ、ホストコンピュータとＵＥとの間の対話（双方向）オーディオおよび/またはビデオ、対話型メッセージングまたはソーシャルコミュニケーション、対話型仮想または拡張現実などを含む、図１６に示される例示的な構成を使用して、様々なＯＴＴサービスを提供することができる。
【０１２５】
図１６に示される例示的なネットワークはまた、本明細書で開示される例示的な実施形態によって改善されるデータ速度、レイテンシ（待ち時間）「、および他の要因を含むネットワーク性能メトリックを監視する測定手順および/またはセンサを含むことができる。例示的なネットワークはまた、測定結果の変動に応答してエンドポイント（例えば、ホストコンピュータおよびＵＥ）間のリンクを再構成するための機能を含むことができる。そのような手順および機能は知られており、実践されており、ネットワークがＯＴＴサービスプロバイダから無線インタフェースを隠すか、または抽象化する場合、測定は、ＵＥとホストコンピュータとの間の独自の信号によって容易にすることができる。
【０１２６】
本明細書で説明される例示的な実施形態は特に、ＵＥ１６１０などのＵＥがＵＬ共有チャネル上でライセンスされていないスペクトルで送信するための時間リソースを示す、割り当てる、および/または構成するために、ライセンスされていないスペクトルでのＲＡＮ１６３０動作のための効率的な技術を提供する。例えば、タイムスロット内で異なる送信開始シンボルを割り当てることによって、そのような技術は、同じＵＬタイムスロットリソースを割り当てられるＵＥ間のＵＬ競合を低減することができる。ＮＲ ＵＥ（例えば、ＵＥ１６１０）およびｇＮＢ（例えば、ＲＡＮ１６３０を備えるｇＮＢ）において使用される場合、本明細書で説明される例示的な実施形態は、ライセンスされたスペクトルに加えて、ライセンスされていないスペクトルの使用を容易にする様々な改善、利益、および/または利点を提供することができる。サービスを提供するために追加のスペクトルリソースを使用することは、ＯＴＴサービスプロバイダおよびエンドユーザによって経験されるように、これらのサービスの性能を改善し、過剰なＵＥ電力消費またはユーザ経験における他の低減なしに、全体を通してより一貫したデータを含み、より少ない遅延を含む。
【０１２７】
本明細書で説明するように、デバイスおよび/または装置は、半導体チップ、チップセット、またはそのようなチップまたはチップセットを備える（ハードウェア）モジュールによって表すことができるが、これはハードウェア実装される代わりに、デバイスまたは装置の機能が実行のための、またはプロセッサ上で実行される実行可能ソフトウェアコード部分を備えるコンピュータプログラムまたはコンピュータプログラム製品などのソフトウェアモジュールとして実装される可能性を排除しない。さらに、デバイスまたは装置の機能は、ハードウェアおよびソフトウェアの任意の組合せによって実装され得る。デバイスまたは装置は、機能的に互いに協働するか、または互いに独立しているかにかかわらず、複数のデバイスおよび/または装置のアセンブリと見なすこともできる。さらに、デバイスまたは装置の機能が保存される限り、デバイスおよび装置は、システム全体にわたって分散された形で実装され得る。このような原理および類似の原理は、当業者に知られていると考えられる。
【０１２８】
上記は、単に本開示の原理を例示するものである。本明細書の教示を考慮すれば、記載された実施形態に対する様々な修正および変更が当業者には明らかであろう。したがって、当業者は本明細書では明示的に示されていないか、または説明されていないが、本開示の原理を具体化し、したがって本開示の精神および範囲内にあり得る、多数のシステム、アレンジメント、および手順を考案することができることが理解されよう。当業者には理解されるように、様々な異なる例示的な実施形態を互いに一緒に使用することができ、またそれらと交換可能に使用することができる。
【０１２９】
さらに、本明細書、図面、およびその例示的な実施形態を含む、本開示で使用される特定の用語は例えば、データおよび情報を含むが、これらに限定されない、特定の例では同義的に使用することができる。これらの単語および/または互いに同義であり得る他の単語は本明細書において同義に使用され得るが、そのような単語が同義に使用されないことを意図され得る場合があり得ることを理解されたい。さらに、従来技術の知識が上記の基準により明示的に組み込まれていない限り、その全体が本明細書に明示的に組み込まれる。参照される全ての刊行物は、その全体が参照により本明細書に組み込まれる。
【０１３０】
本明細書で説明される技術および装置の例示的な実施形態は、以下に列挙される実施形態を含むが、これらに限定されない。
【０１３１】
１．無線アクセスネットワーク（ＲＡＮ）のセル内でアップリンク（ＵＬ）共有チャネル上で情報を送信する方法であって、
前記セルにサービスを提供するネットワークノードから、前記ＵＬ共有チャネル上で情報を送信するために利用可能な周期的な複数の期間の設定を受信することを含み、前記設定は、
各期間に関連するある整数の数の連続したタイムスロットを示す周期値と、
前記ＵＬ共有チャネル上での送信が許可される各周期内の特定の複数のタイムスロットを示す許可値とを含み、
前記設定された周期的な複数の期間のうちの少なくとも１つの期間中にＵＬ共有チャネル上で情報を送信することを含む、方法。
【０１３２】
２．実施形態１の方法であって、前記設定は、各期間内の開始タイムスロットをさらに識別し、前記許可値は、前記特定の複数のタイムスロットが前記開始タイムスロットで始まる該ある数のタイムスロットを含むように、ある数のタイムスロットを示す。
【０１３３】
３．実施形態１の方法であって、
前記許可値は、第１の複数のビットを含む第１のビットマップを含み、
前記第１の複数の各ビットは、各周期内の特定のタイムスロットに関連付けられる。
【０１３４】
４．実施形態１〜３の方法であって、各タイムスロットは、複数のシンボルを含み、前記設定は、前記ＵＬ共有チャネル上での送信が許可される各許可タイムスロット内で、前記複数の特定の複数のシンボルをさらに識別する。
【０１３５】
５．実施形態４の方法であって、前記特定の複数のシンボルの識別は、開始シンボルと、ある数の連続するシンボルとを含む。
【０１３６】
６．実施形態４の方法であって、前記特定の複数のシンボルの前記識別は、前記開始タイムスロットに関連付けられた開始シンボルと、各期間内の前記最後に許可されたタイムスロットに関連付けられた終了シンボルとを含む。
【０１３７】
７．実施形態１〜６のいずれかの方法であって、前記設定は、各期間内のＵＬ共有チャネルの１つまたは複数のインスタンスを識別する情報をさらに含む。
【０１３８】
８．実施形態７の方法であって、前記設定は、各期間内の前記ＵＬ共有チャネルの周期を含む。
【０１３９】
９．実施形態７の方法であって、前記設定は、各期間内の複数のＵＬ共有チャネルインスタンスのそれぞれの開始位置を示す。
【０１４０】
１０．実施形態９の方法であって、
前記設定は、第２の複数のビットを含む第２のビットマップによってそれぞれの開始位置を示し、
前記第２の複数の各ビットは、各サブフレーム内の特定タイムスロットに関連付けられる。
【０１４１】
１１．実施形態１〜１０のいずれかの方法であって、前記設定は、各期間内のすべての許可タイムスロットに適用可能であるか、または各期間内の許可タイムスロットのサブセットにのみ適用可能であるかをさらに示す。
【０１４２】
１２．実施形態１〜１１のいずれかの方法であって、前記設定は、前記設定がどのトラフィッククラスに適用可能であるかをさらに示す。
【０１４３】
１３．無線アクセスネットワーク（ＲＡＮ）のセル内のアップリンク（ＵＬ）共有チャネル上の情報のユーザ装置（ＵＥ）による送信をスケジューリングする方法であって、
前記セル内で動作するユーザ装置（ＵＥ）に、ＵＬ共有チャネル上で情報を送信するために利用可能な周期的な複数の期間の設定を送信することと、
各期間に関連するある整数の数の連続したタイムスロットを示す周期値と、
前記ＵＬ共有チャネル上での送信が許可される各周期内の特定の複数のタイムスロットを示す許可値とを含み、
前記設定された周期的な複数の期間のうちの少なくとも１つの期間中に前記ＵＬ共有チャネル上の情報をＵＥから受信すること、を含む。
【０１４４】
１４．実施形態１３の方法であって、前記設定は、各期間内の開始タイムスロットをさらに識別し、前記許可値は、前記特定の複数のタイムスロットが前記開始タイムスロットで始まるある数タイムスロットを含むように、ある数のタイムスロットを示す。
【０１４５】
１５．例示的な実施形態１３の方法であって、
前記許可値は、第１の複数のビットを含む第１のビットマップを含み、
前記第１の複数の各ビットは、各周期内の特定のタイムスロットに関連付けられる。
【０１４６】
１６．実施形態１３〜１５のいずれかの方法であって、各タイムスロットは、複数のシンボルを含み、前記設定は、ＵＬ共有チャネル上での送信が許可される各許可タイムスロット内で、前記複数の特定のシンボルをさらに識別する。
【０１４７】
１７．例示的な実施形態１６の方法であって、前記特定の複数のシンボルの識別は、開始シンボルおよびある数の連続するシンボルを含む。
【０１４８】
１８．例示的な実施形態１６の方法であって、前記特定の複数のシンボルの識別は、前記開始タイムスロットに関連付けられた開始シンボルと、各期間内の最後に許可されたタイムスロットに関連付けられた終了シンボルを含む。
【０１４９】
１９．例示的な実施形態１３〜１８のいずれかの方法であって、前記設定は、各期間内のＵＬ共有チャネルの１つまたは複数のインスタンスを識別する情報をさらに含む。
【０１５０】
２０．実施形態１９の方法であって、前記設定は、各期間内のＵＬ共有チャネルの周期を含む。
【０１５１】
２１．実施形態１９の方法であって、前記設定は、各期間内の複数のＵＬ共有チャネルインスタンスのそれぞれの開始位置を示す。
【０１５２】
２２．実施形態２１の方法であって、前記設定は、第２の複数のビットを含む第２のビットマップによってそれぞれの開始位置を示し、 
前記第２の複数の各ビットは、各サブフレーム内の特定のタイムスロットに関連付けられる。
【０１５３】
２３．実施形態１３〜２２のいずれかの方法であって、前記設定が、各期間内のすべてのタイムスロットに適用可能であるか、または各期間内の許可タイムスロットのサブセットにのみ適用可能であるかをさらに示す。
【０１５４】
２４．実施形態１３〜２３のいずれかの方法であって、前記設定は、前記設定がどのトラフィッククラスに適用可能であるかをさらに示す。
【０１５５】
２５．無線アクセスネットワーク（ＲＡＮ）のセル内でアップリンク（ＵＬ）共有チャネル上で情報を送信するように構成されたユーザ装置（ＵＥ）であって、前記ＵＥは、
前記セルにサービスを提供するネットワークノードと通信するように構成された通信回路と、
前記通信回路と動作可能に関連し、例示的な実施形態１〜１２のいずれかの方法に対応する動作を実行するように構成された処理回路とを備える。
【０１５６】
２６．無線アクセスネットワーク（ＲＡＮ）のセル内のアップリンク（ＵＬ）共有チャネル上の情報をユーザ装置（ＵＥ）によって送信するようにスケジュールするように構成されたネットワークノードであって、
ＵＥと通信するように構成された通信回路と、
前記通信回路と動作可能に関連し、例示的な実施形態１３〜２４のいずれかの方法に対応する動作を実行するように構成された処理回路とを備える。
【０１５７】
２７．ユーザ装置（ＵＥ）の少なくとも１つのプロセッサによって実行されるときに、例示的な実施形態１〜１２のいずれかの方法に対応する動作を実行するようにＵＥを構成する、コンピュータ実行可能な命令を記憶する非一時的なコンピュータ可読媒体。
【０１５８】
２８．ネットワークノードの少なくとも１つのプロセッサによって実行されるときに、例示的な実施形態１３〜２４のいずれかの方法に対応する動作を実行するようにネットワークノードを構成する、コンピュータ実行可能な命令を記憶する非一時的なコンピュータ可読媒体。
【図１】
2021533629.tif 000005
【図２Ａ】
2021533629.tif 000006
【図２Ｂ】
2021533629.tif 000007
【図２Ｃ】
2021533629.tif 000008
【図３Ａ】
2021533629.tif 000009
【図３Ｂ】
2021533629.tif 000010
【図４】
2021533629.tif 000011
【図５Ａ】
2021533629.tif 000012
【図５Ｂ】
2021533629.tif 000013
【図６Ａ】
2021533629.tif 000014
【図６Ｂ】
2021533629.tif 000015
【図６Ｃ】
2021533629.tif 000016
【図６Ｄ】
2021533629.tif 000017
【図７】
2021533629.tif 000018
【図８】
2021533629.tif 000019
【図９】
2021533629.tif 000020
【図１０】
2021533629.tif 000021
【図１１】
2021533629.tif 000022
【図１２】
2021533629.tif 000023
【図１３】
2021533629.tif 000024
【図１４】
2021533629.tif 000025
【図１５】
2021533629.tif 000026
【図１６】
2021533629.tif 000027
【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
無線アクセスネットワーク（ＲＡＮ）のセル内でアップリンク（ＵＬ）共有チャネル上で情報を送信する方法であって、
前記セルにサービスを提供するネットワークノードから、前記ＵＬ共有チャネル上で情報を送信するためのリソースの設定されたアップリンクグラントを受信することであって、前記設定されたアップリンクグラントは、前記ＵＬ共有チャネル上での送信が許可される特定の複数のタイムスロットを示し、
設定されたリソースのためのアップリンク周期を示す周期パラメータと、
各アップリンク周期内の、前記ＵＬ共有チャネル上での送信が許可されるある数の連続するタイムスロットを示す許可パラメータを含む、ことと、
前記受信された設定されたアップリンクグラントによって示される前記特定の複数のタイムスロットのうちの少なくとも１つの間で、前記ＵＬ共有チャネル上で情報を送信することを含む、方法。
【請求項２】
請求項１に記載の方法であって、
前記設定されたアップリンクグラントはさらに、前記周期パラメータによって示される前記数の連続するタイムスロット内の開始タイムスロットを識別し、
前記特定の複数のタイムスロットは、前記開始タイムスロットで始まる前記数の連続するタイムスロットを含む、方法。
【請求項３】
請求項１または２に記載の方法であって、
各タイムスロットは、複数のシンボルを含み、
前記設定されたアップリンクグラントはさらに、前記複数のシンボルのうちの、特定の複数のシンボルを識別し、該特定の複数のシンボルの間、前記ＵＬ共有チャネル上での送信は、前記設定によって示される前記特定の複数のタイムスロット内で許可される、方法。
【請求項４】
請求項３に記載の方法であって、 
前記特定の複数のシンボルの識別は、開始シンボルとある数の連続するシンボルを含み、
前記開始シンボルと前記数の連続するシンボルは、前記設定によって示される前記特定の複数のタイムスロットのそれぞれに適用可能である、方法。
【請求項５】
請求項３に記載の方法であって、
前記特定の複数のタイムスロットは、開始タイムスロットおよび終了タイムスロットを含み、
前記特定の複数のシンボルの前記識別は、前記開始タイムスロットに関連する開始シンボル、および、前記終了タイムスロットに関連する終了シンボルを含む、方法。
【請求項６】
請求項１に記載の方法であって、前記設定されたアップリンクグラントは、前記ＵＬ共有チャネル上での送信が許可される前記特定の複数のタイムスロットのそれぞれの中の前記ＵＬ共有チャネルの１つまたは複数のインスタンスを識別する情報も含む、方法。
【請求項７】
請求項６に記載の方法であって、前記設定されたアップリンクグラントは、前記ＵＬ共有チャネル上での送信が許可される前記特定の複数のタイムスロットのそれぞれの中の前記ＵＬ共有チャネルのインスタンスの、シンボルにおける、周期を含む、方法。
【請求項８】
請求項６に記載の方法であって、前記設定されたアップリンクグラントは、前記ＵＬ共有チャネル上での送信が許可される前記特定の複数のタイムスロットの中の前記１つまたは複数の連続する複数のＵＬ共有チャネルのインスタンスのそれぞれの開始位置を示す、方法。
【請求項９】
請求項１から８のいずれか１項に記載の方法であって、前記設定されたアップリンクグラントは、前記リソースのグラントが、前記特定の複数のタイムスロットのすべてに適用可能であるか、または、前記特定の複数のタイムスロットのサブセットにのみ適用可能であるかも示す、方法。
【請求項１０】
請求項１から９のいずれか１項に記載の方法であって、前記設定されたアップリンクグラントは、どのトラフィッククラスに前記リソースのグラントが適用可能であるかも示す、方法。
【請求項１１】
無線アクセスネットワーク（ＲＡＮ）のセル内のアップリンク（ＵＬ）共有チャネル上の情報のユーザ装置（ＵＥ）による送信をスケジューリングする方法であって、
前記セル内で動作するユーザ装置（ＵＥ）に、前記ＵＬ共有チャネル上で情報を送信するためのリソースの設定されたアップリンクグラントを送信することであって、前記設定されたアップリンクグラントは、前記ＵＬ共有チャネル上での送信が許可される特定の複数のタイムスロットを示し、
設定されたリソースのためのアップリンク周期を示す周期パラメータと、
各アップリンク周期内の、前記ＵＬ共有チャネル上での送信が許可されるある数の連続するタイムスロットを示す許可パラメータを含む、ことと、
前記送信された設定されたアップリンクグラントによって示される前記特定の複数のタイムスロットのうちの少なくとも１つの間に、前記ＵＬ共有チャネル上の情報をＵＥから受信すること、を含む、方法。
【請求項１２】
無線アクセスネットワークのセル内でアップリンク（ＵＬ）共有チャネル上で情報を送信するように構成されたユーザ装置（ＵＥ）であって、
前記セルにサービスを提供するネットワークノードと通信するように構成されたトランシーバ回路と、
前記トランシーバ回路に動作可能に結合された処理回路とを備え、それによって、前記処理回路および前記トランシーバ回路は、前記ＵＥに、請求項１から１０のいずれか１項に記載の方法を実行させるように構成される、ＵＥ。
【請求項１３】
ユーザ装置（ＵＥ）の少なくとも１つのプロセッサによって実行されるときに、前記ＵＥに、請求項１から１０のいずれか１項に記載の方法を実行させる、コンピュータ実行可能な命令を記憶する非一時的コンピュータ可読媒体。
【請求項１４】
無線アクセスネットワークのセル内のアップリンク（ＵＬ）共有チャネルに関する情報のユーザ装置（ＵＥ）による送信をスケジュールするように構成されたネットワークノードであって、
前記ＵＥと通信するように構成された無線ネットワークインタフェース回路、および
前記無線ネットワークインタフェース回路に動作可能に結合された処理回路とを備え、それによって、前記処理回路および前記無線ネットワークインタフェース回路は、前記ネットワークノードに、請求項１１に記載の方法を実行させるように構成される、ネットワークノード。
【請求項１５】
無線アクセスネットワーク内のネットワークノードの少なくとも１つのプロセッサによって実行されるときに、請求項１１に記載の方法を実行するようにネットワークノードを構成する、コンピュータ実行可能な命令を記憶する非一時的コンピュータ可読媒体。
【国際調査報告】
2021533629.tif 000028
2021533629.tif 000029
2021533629.tif 000030